(57)【特許請求の範囲】
【請求項１】
上記複数の音声入力から所定の音声入力を選択する音声入力選択部と、
上記音声入力選択部で選択された音声入力の音声信号に対して所定の音場特性を付与する信号処理部と、
上記信号処理部で得られた音声信号を出力する信号出力部と、
音声信号出力機器から送られてくるジャンル情報を受信するジャンル情報受信部と、
上記ジャンル情報受信部で受信されたジャンル情報が上記音声入力選択部で選択された音声入力に対応したジャンル情報であると判断するとき、該ジャンル情報に対応した音場特性を付与するように上記信号処理部を制御する音場制御部とを備え、
さらに、上記複数の音声入力のうち少なくとも一部の音声入力に対応した音声信号を出力する音声信号出力機器が接続されるＨＤＭＩ端子を備え、
上記ジャンル情報受信部は、ＣＥＣラインを通じて上記音声信号出力機器からジャンル情報を受信し、
上記音場制御部は、上記ジャンル情報受信部で受信されたジャンル情報の送信元が、アクティブソースの音声信号出力機器であるとき、上記ジャンル情報受信部で受信されたジャンル情報は上記音声入力選択部で選択された音声入力に対応したジャンル情報であると判断する
音声処理装置。
【請求項２】
上記音場制御部は、上記ＣＥＣラインを通じて上記音声信号出力機器のうちアクティブソースの音声信号出力機器からアクティブソースメッセージを受信し、該アクティブソースメッセージの送信元の論理アドレスを格納し、
上記音場制御部は、上記ジャンル情報受信部で受信されたジャンル情報の送信元の論理アドレスが上記格納された送信元の論理アドレスと一致するとき、上記ジャンル情報受信部で受信されたジャンル情報は上記音声入力選択部で選択された音声入力に対応したジャンル情報であると判断する
請求項１に記載の音声処理装置。
【請求項３】
上記音場制御部は、上記ジャンル情報受信部で受信されたジャンル情報の送信元が、上記アクティブソースの音声信号出力機器であり、かつ上記音声入力選択部で選択された音声入力が上記アクティブソースの音声信号出力機器に対応した音声入力であるとき、上記ジャンル情報受信部で受信されたジャンル情報は上記音声入力選択部で選択された音声入力に対応したジャンル情報であると判断する
請求項１に記載の音声処理装置。
【請求項４】
上記音場制御部は、上記ＣＥＣラインを通じて上記音声信号出力機器のうちアクティブソースの音声信号出力機器からアクティブソースメッセージを受信し、該アクティブソースメッセージの送信元の論理アドレスおよび物理アドレスを格納し、
上記音場制御部は、上記ジャンル情報受信部で受信されたジャンル情報の送信元の論理アドレスが上記格納された送信元の論理アドレスと一致し、かつ、上記音声入力選択部で選択された音声入力が上記格納された送信元の物理アドレスに対応した音声入力と一致するとき、上記ジャンル情報受信部で受信されたジャンル情報は上記音声入力選択部で選択された音声入力に対応したジャンル情報であると判断する
請求項３に記載の音声処理装置。
【請求項５】
上記音声信号出力機器に上記ＣＥＣラインを通じてジャンル情報を要求するジャンル情報要求部を備える
請求項１に記載の音声処理装置。
【請求項６】
上記ジャンル情報要求部は、上記ＣＥＣラインを通じてアクティブソースメッセージが送られてくるとき、上記ＣＥＣラインを通じて上記音声信号出力機器にジャンル情報を要求する
請求項５に記載の音声処理装置。
【請求項７】
上記ジャンル情報要求部は、アクティブソースの音声信号出力機器にジャンル情報を要求する
請求項５に記載の音声処理装置。
【請求項８】
上記ジャンル情報要求部は、ブロードキャストでジャンル情報を要求する
請求項５に記載の音声処理装置。
【請求項９】
上記ジャンル情報要求部は、上記音声入力選択部で選択された音声入力が変更されるとき、変更後の音声入力に対応した音声信号を出力する音声信号出力機器にジャンル情報を要求する
請求項５に記載の音声処理装置。
【請求項１０】
上記ジャンル情報要求部がジャンル情報を要求するときミューティングを開始し、上記ジャンル情報受信部により上記音声入力選択部で選択された音声入力に対応したジャンル情報が受信されるとき上記ミューティングを解除するように上記信号出力部を制御する出力制御部を備える
請求項５に記載の音声処理装置。
【請求項１１】
上記出力制御部は、上記ジャンル情報受信部により上記音声入力選択部で選択された音声入力に対応したジャンル情報が一定時間以内に受信されないとき、上記ミューティングを解除する
請求項１０に記載の音声処理装置。
【請求項１２】
出力音声信号にジャンル情報に基づいて音場特性を付与するジャンル連動モードに設定するモード設定部を備え、
上記ジャンル情報要求部は、上記モード設定部により上記ジャンル連動モードに設定されるとき、上記音声信号出力機器にジャンル情報を要求する
請求項５に記載の音声処理装置。
【請求項１３】
出力音声信号にジャンル情報に基づいて音場特性を付与するジャンル連動モードの設定情報を受信する設定情報受信部を備え、
上記ジャンル情報要求部は、上記設定情報受信部により受信された設定情報に基づいて上記ジャンル連動モードに設定されるとき、上記音声信号出力機器にジャンル情報を要求する
請求項５に記載の音声処理装置。
【請求項１４】
上記音声信号出力機器から出力される音声信号を上記信号出力部から出力するシステムオーディオモードに設定するモード設定部を備え、
上記ジャンル情報要求部は、上記モード設定部により上記システムオーディオモードに設定されるとき、上記音声信号出力機器にジャンル情報を要求する
請求項５に記載の音声処理装置。
【請求項１５】
上記音声信号出力機器から出力される音声信号を上記信号出力部から出力するシステムオーディオモードに設定する設定情報を受信する設定情報受信部を備え、
上記ジャンル情報要求部は、上記設定情報受信部により受信された設定情報に基づいて上記システムオーディオモードに設定されるとき、上記音声信号出力機器にジャンル情報を要求する
請求項５に記載の音声処理装置。
【請求項１６】
複数の音声入力のうち少なくとも一部の音声入力に対応した音声信号を出力する音声信号出力機器が接続されるＨＤＭＩ端子を備える音声処理装置における音声処理方法であって、
上記複数の音声入力から所定の音声入力を選択する音声入力選択ステップと、
上記音声入力選択ステップで選択された音声入力の音声信号に対して所定の音場特性を付与する信号処理ステップと、
上記信号処理ステップで得られた音声信号を出力する信号出力ステップと、
音声信号出力機器から送られてくるジャンル情報を受信するジャンル情報受信ステップと、
上記ジャンル情報受信ステップで受信されたジャンル情報が上記音声入力選択ステップで選択された音声入力に対応したジャンル情報であると判断するとき、上記信号処理ステップで該ジャンル情報に対応した音場特性が付与されるように制御する音場制御ステップとを有し、
上記ジャンル情報受信ステップでは、ＣＥＣラインを通じて上記音声信号出力機器からジャンル情報を受信し、
上記音場制御ステップは、上記ジャンル情報受信ステップで受信されたジャンル情報の送信元が、アクティブソースの音声信号出力機器であるとき、上記ジャンル情報受信ステップで受信されたジャンル情報は上記音声入力選択ステップで選択された音声入力に対応したジャンル情報であると判断する
音声処理方法。
【請求項１７】
複数の音声入力のうち少なくとも一部の音声入力に対応した音声信号を出力する音声信号出力機器が接続されるＨＤＭＩ端子を備える音声処理装置のコンピュータを、
上記複数の音声入力から所定の音声入力を選択する音声入力選択手段と、
上記音声入力選択手段で選択された音声入力の音声信号に対して所定の音場特性を付与する信号処理手段と、
上記信号処理手段で得られた音声信号を出力する信号出力手段と、
音声信号出力機器から送られてくるジャンル情報を受信するジャンル情報受信手段と、
上記ジャンル情報受信手段で受信されたジャンル情報が上記音声入力選択手段で選択された音声入力に対応したジャンル情報であると判断するとき、上記信号処理手段で該ジャンル情報に対応した音場特性が付与されるように制御する音場制御手段として機能させ、
上記ジャンル情報受信手段は、ＣＥＣラインを通じて上記音声信号出力機器からジャンル情報を受信し、
上記音場制御手段は、上記ジャンル情報受信手段で受信されたジャンル情報の送信元が、アクティブソースの音声信号出力機器であるとき、上記ジャンル情報受信手段で受信されたジャンル情報は上記音声入力選択手段で選択された音声入力に対応したジャンル情報であると判断する
プログラム。
【発明の詳細な説明】
【技術分野】
【０００１】
この発明は、ＡＶ（Audio Visual）システムに適用して好適な音声処理装置、音声処理方法およびプログラムに関する。詳しくは、この発明は、受信ジャンル情報が音声入力選択部で選択された音声入力に対応したジャンル情報であると判断するとき、この音声入力の音声信号に対して受信ジャンル情報に対応した音場特性を付与することにより、音声信号に対する音場特性の付与処理を良好に行い得るようにした音声処理装置等に係るものである。
【背景技術】
【０００２】
映像／音声等の伝送用デジタルインタフェースとしてＨＤＭＩ（HighDefinition Multimedia Interface）が普及している。ＨＤＭＩは、ＰＣ（PersonalComputer）とディスプレイの接続標準規格であるＤＶＩ（Digital Visual Interface）に音声伝送機能や著作権保護機能を加えて、ＡＶ（Audio Visual）機器向けにアレンジしたものとなっている。非特許文献１には、ＨＤＭＩ規格の詳細についての記載がある。
【０００３】
従来、機器間の接続にビデオ、オーディオ、コントロールの各信号用の複数のケーブルを用いていた、しかし、ＨＤＭＩではケーブル１本で済み、コントロール信号は双方向の伝送に対応している。そのため、例えば、モニタからＨＤＭＩで接続されたＳＴＢ（Set Top Box）やＤＶＤ（Digital Versatile Disc）プレーヤ等の出力装置にコントロール信号を中継することで、モニタのリモコンでＡＶシステム全体を操作することも可能となった。
【０００４】
ＨＤＭＩ規格ではＣＥＣ（Consumer Electronics Control）を使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビ受信機でデジタル放送を視聴しているときに、ＨＤＭＩで接続されたＤＶＤプレーヤを再生すると、テレビ受信機は自動的にＤＶＤプレーヤが接続された入力に切り換える。また、このＤＶＤプレーヤで表示しているメニュー操作や、電源のオン／オフなどをテレビ受信機のリモコンから操作することができる。
【０００５】
また、ＨＤＭＩ規格ではテレビ受信機を含む最大１０台の機器が接続されても動作するように規定されている。そのため、１台のテレビ受信機に最大９台の外部機器を接続することができる。テレビ受信機に接続された外部機器が９台であれば、リモコンからいずれの機器も操作が可能である。
【０００６】
上述したように、テレビ受信機からこのテレビ受信機のリモコンを使って外部機器の操作を行う場合、操作対象となる機器として、テレビ受信機で現に画像を表示している機器を選択することで、複数の機器の中から操作対象機器を限定することが考えられる。
【０００７】
ＨＤＭＩ規格では、テレビ受信機で画像を表示している機器を明示するためのＣＥＣメッセージとして<Active Source>を規定している。この規定によれば、例えば、ユーザがＨＤＭＩ規格対応のＤＶＤプレーヤの再生ボタンを操作すると、ＤＶＤプレーヤはＤＶＤプレーヤ自身が安定した映像信号を出力可能な状態（すなわち、アクティブな状態）であればＡＶストリームを出力するとともに、アクティブ機器であることを示す<Active Source>メッセージをブロードキャストする。
【０００８】
ここで、「ブロードキャスト」とは、特定の機器に対してではなく全機器を送信先対象とした信号の一斉送信のことをいう。<Active Source>メッセージをブロードキャストされたテレビ受信機およびその他の外部機器は、ＤＶＤプレーヤから出力されるＡＶストリームを再生するために経路の切り換えを行う。
【０００９】
このように、ＨＤＭＩ規格では、テレビ受信機で映像を表示中の機器が<ActiveSource>メッセージをネットワーク内の他の機器にブロードキャストすることが規定されている。なお、<ActiveSource>メッセージは、ＨＤＭＩ規格で定義されたＣＥＣメッセージの一つである。
【００１０】
また、従来、特許文献１等に記載されているように、ＨＤＭＩ-ＣＥＣによるテレビ受信機のＥＰＧ（Electronic Program Guide）のジャンル情報に応じて、ＡＶアンプの音場を変更する機能が実現されている。この機能は、テレビ受信機で番組受信開始時、あるいは、番組変更時にＥＰＧのジャンル情報をＨＤＭＩ−ＣＥＣラインに流し、接続されたＡＶアンプがそれに応じた音場に設定することで実現している。
【非特許文献１】High-Definition Multimedia InterfaceSpecification Version 1.3a,November 10 2006
【特許文献１】特開２００８−３５３９９号公報
【発明の開示】
【発明が解決しようとする課題】
【００１１】
ＡＶアンプには通常ＨＤＭＩリピータ機能があり、複数の入力から任意のＨＤＭＩ入力を選択し、テレビ受信機に映像信号や音声信号を渡すとともに、自身が音声信号をデコードするなどして音声を再生する。このＡＶアンプには、ＢＤ（Blu-ray Disc）レコーダ、ＤＶＤレコーダなどのテレビチューナを内蔵した機器も接続される。そのため、ＢＤレコーダ、ＤＶＤレコーダでテレビチューナを視聴する場合、ＡＶアンプがテレビ受信機との連動しか行えない場合は、ＢＤレコーダ、ＤＶＤレコーダのテレビチューナで選局された番組に連動させることができなく、使い勝手が悪いものとなる。
【００１２】
ＢＤレコーダ、ＤＶＤレコーダから同じようなＥＰＧをもとにしたジャンル情報を送信するようにし、ＡＶアンプがこれらの機器にも連動するような構成も考えられる。しかし、例えば、ＡＶアンプに接続されているテレビ受信機とＢＤレコーダがともに電源ＯＮの状態にあって、各機器のテレビチューナで番組を受信している場合を想定すると、以下のような不都合がある。
【００１３】
すなわち、各機器からＡＶアンプには、受信番組の変化時等にジャンル情報を送ってくるため、ＡＶアンプがそれぞれに対して音場を変えてしまうと、本来音を再生している番組と異なった側に音場を連動してしまう現象が発生する。
【００１４】
この発明の目的は、音場特性の付与処理を良好に行い得るようにすることにある。
【課題を解決するための手段】
【００１５】
この発明の概念は、
上記複数の音声入力から所定の音声入力を選択する音声入力選択部と、
上記音声入力選択部で選択された音声入力の音声信号に対して所定の音場特性を付与する信号処理部と、
上記信号処理部で得られた音声信号を出力する信号出力部と、
音声信号出力機器から送られてくるジャンル情報を受信するジャンル情報受信部と、
上記ジャンル情報受信部で受信されたジャンル情報が上記音声入力選択部で選択された音声入力に対応したジャンル情報であると判断するとき、該ジャンル情報に対応した音場特性を付与するように上記信号処理部を制御する音場制御部とを備え、
さらに、上記複数の音声入力のうち少なくとも一部の音声入力に対応した音声信号を出力する音声信号出力機器が接続されるＨＤＭＩ端子を備え、
上記ジャンル情報受信部は、ＣＥＣラインを通じて上記音声信号出力機器からジャンル情報を受信し、
上記音場制御部は、上記ジャンル情報受信部で受信されたジャンル情報の送信元が、アクティブソースの音声信号出力機器であるとき、上記ジャンル情報受信部で受信されたジャンル情報は上記音声入力選択部で選択された音声入力に対応したジャンル情報であると判断する
音声処理装置にある。
【００１６】
この発明においては、音声入力選択部により選択された所定の音声入力に対して、信号処理部により所定の音場特性が付与され、信号出力部により出力される。ここで、音声入力選択部では、入力端子に入力された音声信号、さらには、内蔵のＦＭチューナ等から出力される音声信号等の複数の音声入力から所定の音声入力が選択される。入力端子には、ＨＤＭＩ端子、光入力端子等が含まれる。
【００１７】
ジャンル情報受信部により、音声信号出力機器から送られてくるジャンル情報が受信される。このジャンル情報には、ＥＰＧのジャンル情報の他に、ディスクから再生されるコンテンツの種別情報等も含まれる。受信されたジャンル情報が上述の音声入力選択部で選択された音声入力に対応したジャンル情報であるとき、音場制御部の制御のもと、上述の信号処理部において、音声入力選択部で選択された音声出力の音声信号に対して当該ジャンル情報に対応した音場特性が付与される。これにより、信号処理部では、音声信号に対して音場特性の付与が良好に行われる。
【００１８】
ジャンル情報受信部では、ＣＥＣラインを通じて音声信号出力機器からジャンル情報が受信される。そして、音場制御部では、ジャンル情報受信部で受信されたジャンル情報の送信元が、アクティブソースの音声信号出力機器であるとき、ジャンル情報受信部で受信されたジャンル情報は音声入力選択部で選択された音声入力に対応したジャンル情報であると判断される。このように判断されることで、アクティブソースの音声信号出力機器から出力される音声信号に対して、その他の音声信号出力機器から送られてくるジャンル情報に基づいた音場特性を付与するという不具合が回避される。
【００１９】
この場合、例えば、音場制御部は、アクティブソースの音声信号出力機器からＣＥＣラインを通じてアクティブソースメッセージを受信し、このアクティブソースメッセージの送信元の論理アドレスを格納する。そして、音場制御部は、ジャンル情報受信部で受信されたジャンル情報の送信元の論理アドレスが上述の格納された送信元の論理アドレスと一致するとき、ジャンル情報受信部で受信されたジャンル情報は音声入力選択部で選択された音声入力に対応したジャンル情報であると判断する。
【００２０】
また、この発明において、例えば、音場制御部は、ジャンル情報受信部で受信されたジャンル情報の送信元が、アクティブソースの音声信号出力機器であり、かつ音声入力選択部で選択された音声入力がアクティブソースの音声信号出力機器に対応した音声入力であるとき、ジャンル情報受信部で受信されたジャンル情報は音声入力選択部で選択された音声入力に対応したジャンル情報であると判断する、ようにされてもよい。このように判断することで、音声入力選択部で選択された音声入力に対応した音声信号がＣＥＣ非対応機器からの音声信号、あるいは内蔵のＦＭチューナからの音声信号などである場合には、その音声信号に対して、その音声信号とは関係のないジャンル情報に基づいた誤った音場特性が付与される不具合を回避できる。
【００２１】
この場合、音場制御部は、アクティブソースの音声信号出力機器からＣＥＣラインを通じてアクティブソースメッセージを受信し、このアクティブソースメッセージの送信元の論理アドレスおよび物理アドレスを格納する。そして、音場制御部は、ジャンル情報受信部で受信されたジャンル情報の送信元の論理アドレスが上述の格納された送信元の論理アドレスと一致し、かつ、音声入力選択部で選択された音声入力が上述の格納された送信元の物理アドレスに対応した音声入力と一致するとき、ジャンル情報受信部で受信されたジャンル情報は音声入力選択部で選択された音声入力に対応したジャンル情報であると判断する。
【００２２】
また、この発明において、音声信号出力機器にジャンル情報を要求するジャンル情報要求部を備える、ようにされてもよい。このように、ジャンル情報要求部を備えることにより、例えば、アクティブソースの音声信号出力機器からジャンル情報を適宜取得できる。
【００２３】
例えば、複数の音声入力のうち少なくとも一部の音声入力に対応した音声信号を出力する音声信号出力機器が接続されるＨＤＭＩ端子を備えるものにあっては、ジャンル情報要求部はＣＥＣラインを通じて音声信号出力機器にジャンル情報を要求する。この場合、ジャンル情報要求部は、アクティブソースの音声信号出力機器にジャンル情報を要求するか、あるいは、ブロードキャストでジャンル情報を要求する。
【００２４】
ジャンル情報要求部は、例えば、ＣＥＣラインを通じてアクティブソースメッセージが送られてくるとき、ＣＥＣラインを通じて音声信号出力機器にジャンル情報を要求する。これにより、新たにアクティブソースとなる音声信号出力機器からジャンル情報を速やかに取得でき、当該音声信号に対してジャンル情報に基づいて音場特性を良好に付与することが可能となる。
【００２５】
また、ジャンル情報要求部は、例えば、音声入力選択部で選択される音声入力が変更されるとき、変更後の音声入力に対応した音声信号を出力する音声信号出力機器にジャンル情報を要求する。これにより、音声入力選択部で選択された音声入力に対応した音声信号を出力する音声信号出力機器からジャンル情報を速やかに取得でき、当該音声信号に対してジャンル情報に基づいて音場特性を良好に付与することが可能となる。
【００２６】
また、この発明において、例えば、ジャンル情報要求部がジャンル情報を要求するときミューティングを開始し、ジャンル情報受信部により音声入力選択部で選択された音声入力に対応したジャンル情報が受信されるときミューティングを解除するように信号出力部を制御する出力制御部を備える、ようにされてもよい。
【００２７】
例えば、ジャンル情報の要求をＣＥＣラインで行う場合には、ＣＥＣの通信上、この要求が音声信号出力機器に通知されるまでにある程度の時間がかかる。また、要求が通知された音声信号出力機器がジャンル情報を送信するまでに処理上の都合によりある程度の時間がかかる。また、音場制御部は、ジャンル情報が通知された後、音場設定を変更するとき、信号処理部に設定データを再設定するため、音切れを発生することがある。そのため、ユーザがある操作を行ってから一定の時間がたった後に音切れが発生することが考えられる。
【００２８】
ジャンル情報要求部がジャンル情報を要求する際に、上述したようにミューティングの開始および解除が制御されることで、ユーザ操作から音場設定までミューティング状態が続くことになるため、上述したようにユーザがある操作を行ってから一定時間が経った後に音の途切れが発生するということがなく、ユーザは不自然さを感じることがない。
【００２９】
なお、出力制御部は、ジャンル情報受信部により音声入力選択部で選択された音声入力に対応したジャンル情報が一定時間以内に受信されないとき、ミューティングを解除する、ようにされてもよい。これにより、音声入力選択部で選択された音声入力に対応した音声信号を出力する音声信号出力機器がジャンル情報を送信する機能を有していない場合等に、ミューティング状態が継続されることを回避できる。
【００３０】
また、この発明において、例えば、出力音声信号にジャンル情報に基づいて音場特性を付与するジャンル連動モードに設定するモード設定部を備え、ジャンル情報要求部は、モード設定部によりジャンル連動モードに設定されるとき、音声信号出力機器にジャンル情報を要求する、ようにされてもよい。また、この発明において、例えば、出力音声信号にジャンル情報に基づいて音場特性を付与するジャンル連動モードの設定情報を受信する設定情報受信部を備え、ジャンル情報要求部は、設定情報受信部により受信された設定情報に基づいてジャンル連動モードに設定されるとき、音声信号出力機器にジャンル情報を要求する、ようにされてもよい。この場合、音声入力選択部で選択された音声入力に対応した音声信号を出力する音声信号出力機器からジャンル情報を速やかに取得でき、当該音声信号に対してジャンル情報に基づいて音場特性を良好に付与することが可能となる。
【００３１】
また、この発明において、例えば、音声信号出力機器から出力された音声信号を信号出力部から出力するシステムオーディオモードに設定するモード設定部を備え、ジャンル情報要求部は、モード設定部によりシステムオーディオモードに設定されるとき、音声信号出力機器にジャンル情報を要求する、ようにされてもよい。また、この発明において、例えば、音声信号出力機器から出力された音声信号を信号出力部から出力するシステムオーディオモードに設定する設定情報を受信する設定情報受信部を備え、ジャンル情報要求部は、設定情報受信部により受信された設定情報に基づいてシステムオーディオモードに設定されるとき、音声信号出力機器にジャンル情報を要求する、ようにされてもよい。この場合、音声入力選択部で選択された音声入力に対応した音声信号を出力する音声信号出力機器からジャンル情報を速やかに取得でき、当該音声信号に対してジャンル情報に基づいて音場特性を良好に付与することが可能となる。
【発明の効果】
【００３２】
この発明によれば、受信ジャンル情報が音声入力選択部で選択された音声入力に対応したジャンル情報であると判断するとき、この音声入力の音声信号に対して受信ジャンル情報に対応した音場特性を付与するものであり、音声信号対する音場特性の付与処理を良好に行うことができる。
【発明を実施するための最良の形態】
【００３３】
以下、図面を参照しながら、この発明の実施の形態について説明する。図１は、実施の形態としてのＡＶシステム１００の構成例を示している。
【００３４】
このＡＶシステム１００は、テレビ受信機２００と、ＡＶアンプ３００と、ＢＤレコーダ４００と、ＤＶＤプレーヤ５００と、ＤＶＤレコーダ６００とを有している。ＢＤレコーダ４００と、ＤＶＤプレーヤ５００およびＤＶＤレコーダ６００は、ＨＤＭＩのソース機器を構成している。ＡＶアンプ３００はＨＤＭＩのリピータ機器を構成している。テレビ受信機２００は、ＨＤＭＩのシンク機器を構成している。
【００３５】
テレビ受信機２００は、ＣＥＣ対応機器であり、ＨＤＭＩ端子２０１，２０２と、光出力端子２０３とを備えている。ＢＤレコーダ４００は、ＣＥＣ対応機器であり、ＨＤＭＩ端子４０１を備えている。ＤＶＤプレーヤ５００は、ＣＥＣ対応機器であり、ＨＤＭＩ端子５０１を備えている。ＤＶＤレコーダ６００は、ＣＥＣ非対応機器であり、ＨＤＭＩ端子６０１を備えている。
【００３６】
ＡＶアンプ３００は、ＣＥＣ対応機器であり、ＨＤＭＩ端子３０１，３０２，３０３，３０４と、光入力端子３０５とを備えている。このＡＶアンプ３００には、スピーカ群３５０が接続されている。このスピーカ群３５０は、例えば、５．１chサラウンドを実現する、聴取者の正面、右前方、左前方、右後方、左後方に位置するスピーカ、および低音出力用サブウーファスピーカで構成されている。
【００３７】
テレビ受信機２００およびＡＶアンプ３００は、ＨＤＭＩケーブル７０１および光ケーブル７０２を介して接続されている。すなわち、ＨＤＭＩケーブル７０１の一端はテレビ受信機２００のＨＤＭＩ端子２０１に接続され、その他端はＡＶアンプ３００のＨＤＭＩ端子３０４に接続されている。また、光ケーブル７０２の一端はテレビ受信機２００の光出力端子２０３に接続され、その他端はＡＶアンプ３００の光入力端子３０５に接続されている。
【００３８】
また、ＡＶアンプ３００およびＢＤレコーダ４００は、ＨＤＭＩケーブル７０３を介して接続されている。すなわち、ＨＤＭＩケーブル７０３の一端はＡＶアンプ３００のＨＤＭＩ端子３０１に接続され、その他端はＢＤレコーダ４００のＨＤＭＩ端子４０１に接続されている。
【００３９】
また、ＡＶアンプ３００およびＤＶＤプレーヤ５００は、ＨＤＭＩケーブル７０４を介して接続されている。すなわち、ＨＤＭＩケーブル７０４の一端はＡＶアンプ３００のＨＤＭＩ端子３０２に接続され、その他端はＤＶＤプレーヤ５００のＨＤＭＩ端子５０１に接続されている。
【００４０】
さらに、ＡＶアンプ３００およびＤＶＤレコーダ６００は、ＨＤＭＩケーブル７０５を介して接続されている。すなわち、ＨＤＭＩケーブル７０５の一端はＡＶアンプ３００のＨＤＭＩ端子３０３に接続され、その他端はＤＶＤレコーダ６００のＨＤＭＩ端子６０１に接続されている。
【００４１】
図１に示すＡＶシステム１００において、各機器の物理アドレス（PhysicalAddress）およびＣＥＣ論理アドレス（Logical Address）の取得は、例えば、以下のように行われる。
【００４２】
すなわち、テレビ受信機２００（物理アドレスは［００００］、ＣＥＣ論理アドレスは｛０｝）にＨＤＭＩケーブル７０１を介してＡＶアンプ３００が接続されるとき、ＡＶアンプ３００はＨＤＭＩ制御プロトコルを使用して、テレビ受信機２００から物理アドレス［１０００］を取得する。
【００４３】
ＣＥＣ対応機器は、ＨＤＭＩ接続時に、論理アドレスを取得するように規定されている。ＣＥＣ対応機器は、この論理アドレスを用いて、メッセージの送受信を行う。図２は、デバイスとＣＥＣ論理アドレスの対応関係を表すテーブルを示している。デバイスの「ＴＶ」はテレビ、プロジェクタ等である。デバイスの「Recording Device」はＢＤレコーダ、ＤＶＤレコーダ等である。デバイスの「Tuner」はＳＴＢ（Set Top Box）等である。デバイスの「Playback Device」はＤＶＤプレーヤ、カムコーダ等である。デバイスの「Audio System」はＡＶアンプ等である。
【００４４】
ＡＶアンプ３００は、上述したように、ＣＥＣ対応機器である。ＡＶアンプ３００は、図２のテーブルに基づいて、「Audio System」として論理アドレス｛５｝を決定する。この場合、ＡＶアンプ３００は、ＣＥＣ制御プロトコルのPolling Messageで他の機器に、この論理アドレス｛５｝を持つ機器が存在しないことを認識した後に、当該論理アドレス｛５｝を自身の論理アドレスとして決定する。そして、ＡＶアンプ３００は、ＣＥＣ制御プロトコルのReport Physical Addressにより、物理アドレス［１０００］は、ＣＥＣ対応機器｛５｝であることを、テレビ受信機２００に通知する。
【００４５】
また、ＡＶアンプ３００にＨＤＭＩケーブル７０３を介してＢＤレコーダ４００が接続されるとき、ＢＤレコーダ４００は、ＨＤＭＩ制御プロトコルを使用して、ＡＶアンプ３００から物理アドレス［１１００］を取得する。
【００４６】
ＢＤレコーダ４００は、上述したように、ＣＥＣ対応機器である。ＢＤレコーダ４００は、図２のテーブルに基づいて、「Recording Device」として論理アドレス｛１｝を決定する。この場合、ＢＤレコーダ４００は、ＣＥＣ制御プロトコルのPolling Messageで他の機器に、この論理アドレス｛１｝を持つ機器が存在しないことを認識した後に、当該論理アドレス｛１｝を自身の論理アドレスとして決定する。そして、ＢＤレコーダ４００は、ＣＥＣ制御プロトコルのReport Physical Addressにより、物理アドレス［１１００］は、ＣＥＣ対応機器｛１｝であることを、テレビ受信機２００およびＡＶアンプ３００に通知する。
【００４７】
また、ＡＶアンプ３００にＨＤＭＩケーブル７０４を介してＤＶＤプレーヤ５００が接続されるとき、ＤＶＤプレーヤ５００は、ＨＤＭＩ制御プロトコルを使用して、ＡＶアンプ３００から物理アドレス［１２００］を取得する。
【００４８】
ＤＶＤプレーヤ５００は、上述したように、ＣＥＣ対応機器である。ＤＶＤプレーヤ５００は、図２のテーブルに基づいて、「Playback Device」として論理アドレス｛４｝を決定する。この場合、ＤＶＤプレーヤ５００は、ＣＥＣ制御プロトコルのPolling Messageで他の機器に、この論理アドレス｛４｝を持つ機器が存在しないことを認識した後に、当該論理アドレス｛４｝を自身の論理アドレスとして決定する。そして、ＤＶＤプレーヤ５００は、ＣＥＣ制御プロトコルのReport Physical Addressにより、物理アドレス［１２００］は、ＣＥＣ対応機器｛４｝であることを、テレビ受信機２００およびＡＶアンプ３００に通知する。
【００４９】
また、ＡＶアンプ３００にＨＤＭＩケーブル７０５を介してＤＶＤレコーダ６００が接続されるとき、ＤＶＤレコーダ６００は、ＨＤＭＩ制御プロトコルを使用して、ＡＶアンプ３００から物理アドレス［１３００］を取得する。ＤＶＤレコーダ６００は、上述したように、ＣＥＣ非対応機器であることから、論理アドレスの取得は行わない。
【００５０】
図１に示すＡＶシステム１００において、テレビ受信機２００のチューナで選局された番組を視聴する場合には、以下のようになる。すなわち、チューナで得られる映像信号による画像は、テレビ受信機２００の表示パネル（図示せず）に表示される。チューナで得られる音声信号による音声は、ＡＶアンプ３００がシステムオーディオモードＯＦＦの状態にあるときは、テレビ受信機２００のスピーカ（図示せず）から出力される。また、チューナで得られる音声信号による音声は、ＡＶアンプ３００がシステムオーディオモードＯＮの状態にあるときは、ＡＶアンプ３００に接続されているスピーカ群３５０から出力される。
【００５１】
なお、テレビ受信機２００のチューナで得られる音声信号は、例えばＳ／ＰＤＩＦ（SonyPhilips Digital InterFace）規格の光デジタル音声信号とされて、光ケーブル７０２を介してＡＶアンプ３００に供給される。また、ＡＶアンプ３００におけるシステムオーディオモードのＯＮ／ＯＦＦの設定は、ユーザがＡＶアンプ３００のユーザ操作部（図示せず）を操作して行うことができる他、ユーザがテレビ受信機２００のユーザ操作部（図示せず）を操作して行うことができる。
【００５２】
また、テレビ受信機２００のチューナで得られる音声信号がＡＶアンプ３００に接続されているスピーカ群３５０から出力される場合にあって、ＡＶアンプ３００がジャンル連動モードＯＮの状態にあるときは、以下のようになる。すなわち、ＡＶアンプ３００では、テレビ受信機２００からＣＥＣラインを通じてＡＶアンプ３００に供給されるＥＰＧのジャンル情報に基づいて、テレビ受信機２００からの音声信号に対して音場特性が付与される。なお、ＡＶアンプ３００におけるジャンル連動モードのＯＮ／ＯＦＦの設定は、ユーザがＡＶアンプ３００のユーザ操作部（図示せず）を操作して行うことができる他、ユーザがテレビ受信機２００のユーザ操作部（図示せず）を操作して行うことができる。
【００５３】
図３は、ジャンル情報と音場（SOUND FIELD）の対応関係の一例を示している。また、図４は、ＡＶアンプ３００で付与される各音場特性の特徴を示している。
【００５４】
また、図１に示すＡＶシステム１００において、例えば、テレビ受信機２００からの切り換え操作、ＢＤレコーダ４００の再生釦操作等により、ＢＤレコーダ４００でディスクから再生されたコンテンツ、あるいはチューナで選局された番組を視聴する場合には、以下のようになる。
【００５５】
すなわち、ＢＤレコーダ４００の出力映像信号による画像は、テレビ受信機２００の表示パネル（図示せず）に表示される。この場合、ＢＤレコーダ４００の出力映像信号は、ＨＤＭＩケーブル７０３、ＡＶアンプ３００およびＨＤＭＩケーブル７０１を介してテレビ受信機２００に供給される。
【００５６】
ＢＤレコーダ４００の出力音声信号による音声は、ＡＶアンプ３００がシステムオーディオモードＯＦＦの状態にあるときは、テレビ受信機２００のスピーカ（図示せず）から出力される。この場合、ＢＤレコーダ４００の出力音声信号は、ＨＤＭＩケーブル７０３、ＡＶアンプ３００およびＨＤＭＩケーブル７０１を介してテレビ受信機２００に供給される。
【００５７】
また、ＢＤレコーダ４００の出力音声信号による音声は、ＡＶアンプ３００がシステムオーディオモードＯＮの状態にあるときは、ＡＶアンプ３００に接続されているスピーカ群３５０から出力される。この場合、ＢＤレコーダ４００の出力音声信号は、ＨＤＭＩケーブル７０３を介してＡＶアンプ３００に供給される。
【００５８】
この場合、ＡＶアンプ３００がジャンル連動モードＯＮの状態にあるときは、以下のようになる。すなわち、ＡＶアンプ３００では、ＢＤレコーダ４００からＣＥＣラインを通じてＡＶアンプ３００に供給されるジャンル情報（ＥＰＧのジャンル情報、ディスクから再生されるコンテンツの種別情報等）に基づいて、ＢＤレコーダ４００からの音声信号に対して音場特性が付与される（図３、図４参照）。
【００５９】
また、図１に示すＡＶシステム１００において、例えば、テレビ受信機２００からの切り換え操作、ＤＶＤプレーヤ５００の再生釦操作等により、ＤＶＤプレーヤ５００でディスクから再生されたコンテンツを視聴する場合には、以下のようになる。
【００６０】
すなわち、ＤＶＤプレーヤ５００の出力映像信号による画像は、テレビ受信機２００の表示パネル（図示せず）に表示される。この場合、ＤＶＤプレーヤ５００の出力映像信号は、ＨＤＭＩケーブル７０４、ＡＶアンプ３００およびＨＤＭＩケーブル７０１を介してテレビ受信機２００に供給される。
【００６１】
ＤＶＤプレーヤ５００の出力音声信号による音声は、ＡＶアンプ３００がシステムオーディオモードＯＦＦの状態にあるときは、テレビ受信機２００のスピーカ（図示せず）から出力される。この場合、ＤＶＤプレーヤ５００の出力音声信号は、ＨＤＭＩケーブル７０４、ＡＶアンプ３００およびＨＤＭＩケーブル７０１を介してテレビ受信機２００に供給される。
【００６２】
また、ＤＶＤプレーヤ５００の出力音声信号による音声は、ＡＶアンプ３００がシステムオーディオモードＯＮの状態にあるときは、ＡＶアンプ３００に接続されているスピーカ群３５０から出力される。この場合、ＤＶＤプレーヤ５００の出力音声信号は、ＨＤＭＩケーブル７０４を介してＡＶアンプ３００に供給される。
【００６３】
この場合、ＡＶアンプ３００がジャンル連動モードＯＮの状態にあるときは、以下のようになる。すなわち、ＡＶアンプ３００では、ＤＶＤプレーヤ５００からＣＥＣラインを通じてＡＶアンプ３００に供給されるジャンル情報（再生ディスクの内容を示すディスク種別情報等）に基づいて、ＤＶＤプレーヤ５００からの音声信号に対して音場特性が付与される（図３、図４参照）。
【００６４】
また、図１に示すＡＶシステム１００において、例えば、テレビ受信機２００からの切り換え操作等により、ＤＶＤレコーダ６００でディスクから再生されたコンテンツ、あるいはチューナで選局された番組を視聴する場合には、以下のようになる。
【００６５】
すなわち、ＤＶＤレコーダ６００の出力映像信号による画像は、テレビ受信機２００の表示パネル（図示せず）に表示される。この場合、ＤＶＤレコーダ６００の出力映像信号は、ＨＤＭＩケーブル７０５、ＡＶアンプ３００およびＨＤＭＩケーブル７０１を介してテレビ受信機２００に供給される。
【００６６】
ＤＶＤレコーダ６００の出力音声信号による音声は、ＡＶアンプ３００がシステムオーディオモードＯＦＦの状態にあるときは、テレビ受信機２００のスピーカ（図示せず）から出力される。この場合、ＤＶＤレコーダ６００の出力音声信号は、ＨＤＭＩケーブル７０５、ＡＶアンプ３００およびＨＤＭＩケーブル７０１を介してテレビ受信機２００に供給される。
【００６７】
また、ＤＶＤレコーダ６００の出力音声信号による音声は、ＡＶアンプ３００がシステムオーディオモードＯＮの状態にあるときは、ＡＶアンプ３００に接続されているスピーカ群３５０から出力される。この場合、ＤＶＤレコーダ６００の出力音声信号は、ＨＤＭＩケーブル７０５を介してＡＶアンプ３００に供給される。
【００６８】
この場合、ＤＶＤレコーダ６００はＣＥＣ非対応機器であり、ＤＶＤレコーダ６００からＣＥＣラインを通じてＡＶアンプ３００にジャンル情報（再生ディスクの内容を示すディスク種別情報等）が供給されることはない。そのため、ＡＶアンプ３００では、ジャンル連動モードＯＮの状態にあっても、ＤＶＤレコーダ６００からの音声信号に対して、「STANDARD」の音場特性が付与される、つまり、特に音声加工は施されない。
【００６９】
図５は、テレビ受信機２００の構成例を示している。このテレビ受信機２００は、ＨＤＭＩ端子２０１，２０２と、ＨＤＭＩスイッチャ２０４と、ＨＤＭＩ受信部２０５と、アンテナ端子２１０と、デジタルチューナ２１１と、デマルチプレクサ２１２と、ＭＰＥＧ(Moving Picture Expert Group)デコーダ２１３と、映像・グラフィック処理回路２１４と、パネル駆動回路２１５と、表示パネル２１６と、音声処理回路２１７と、音声増幅回路２１８と、スピーカ２１９と、内部バス２３０と、ＣＰＵ２３１と、フラッシュＲＯＭ２３２と、ＤＲＡＭ２３３と、リモコン受信部２３４と、リモコン送信機２３５とを有している。
【００７０】
ＣＰＵ２３１は、テレビ受信機２００の各部の動作を制御する。フラッシュＲＯＭ２３２は、制御ソフトウェアの格納およびデータの保管を行う。ＤＲＡＭ２３３は、ＣＰＵ２３１のワークエリア等を構成する。ＣＰＵ２３１は、フラッシュＲＯＭ２３２から読み出したソフトウェアやデータをＤＲＡＭ２３３上に展開してソフトウェアを起動し、テレビ受信機２００の各部を制御する。ＣＰＵ２３１、フラッシュＲＯＭ２３２およびＤＲＡＭ２３３は、内部バス２３０に接続されている。
【００７１】
リモコン受信部２３４は、リモコン送信機２３５から送信された、例えば赤外線のリモートコントロール信号（リモコンコード）を受信し、ＣＰＵ２３１に供給する。ユーザは、リモコン送信機２３５を操作することで、テレビ受信機２００の操作、およびこのテレビ受信機２００にＨＤＭＩケーブルで接続されているその他のＣＥＣ対応機器の操作を行うことができる。
【００７２】
アンテナ端子２１０は、受信アンテナ（図示しない）で受信されたテレビ放送信号を入力する端子である。デジタルチューナ２１１は、アンテナ端子２１０に入力されたテレビ放送信号を処理して、ユーザの選択チャネルに対応した所定のトランスポートストリームを出力する。デマルチプレクサ２１２は、デジタルチューナ２１２で得られたトランスポートストリームから、ユーザの選択チャネルに対応した、パーシャルＴＳ（Transport Stream）（映像データのＴＳパケット、音声データのＴＳパケット）を抽出する。
【００７３】
また、デマルチプレクサ２１２は、デジタルチューナ２１１で得られたトランスポートストリームから、ＰＳＩ／ＳＩ(Program Specific Information/Service Information)を取り出し、ＣＰＵ２３１に出力する。デジタルチューナ２１１で得られたトランスポートストリームには、複数のチャネルが多重化されている。デマルチプレクサ２１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００７４】
ＭＰＥＧデコーダ２１３は、デマルチプレクサ２１２で得られる映像データのＴＳパケットにより構成される映像ＰＥＳ(Packetized Elementary Stream)パケットに対してデコード処理を行って映像データを得る。また、ＭＰＥＧデコーダ２１３は、デマルチプレクサ２１２で得られる音声データのＴＳパケットにより構成される音声ＰＥＳパケットに対してデコード処理を行って音声データを得る。
【００７５】
映像・グラフィック処理回路２１４は、ＭＰＥＧデコーダ２１３で得られた映像データに対して、必要に応じて、スケーリング処理、グラフィックスデータの重畳処理等を行う。パネル駆動回路２１５は、映像・グラフィック処理回路２１４から出力される映像データに基づいて、表示パネル２１６を駆動する。表示パネル２１６は、例えば、ＬＣＤ(Liquid Crystal Display)、ＰＤＰ(Plasma DisplayPanel)等で構成されている。
【００７６】
音声処理回路２１７は、ＭＰＥＧデコーダ２１３で得られた音声データに対してＤ／Ａ変換等の必要な処理を行う。音声増幅回路２１８は、音声処理回路２１７から出力されるアナログ音声信号を増幅してスピーカ２１９に供給する。また、音声処理回路２１７は、ＭＰＥＧデコーダ２１３で得られた音声データを、例えばＳ／ＰＤＩＦ規格のデジタル光信号に変換して、光出力端子２０３に出力する。
【００７７】
ＨＤＭＩスイッチャ２０４は、ＨＤＭＩ端子２０１，２０２をＨＤＭＩ受信部２０５に選択的に接続する。ＨＤＭＩ受信部２０５は、ＨＤＭＩスイッチャ２０４を介して、ＨＤＭＩコネクタ２０１，２０２のいずれかに選択的に接続されている。このＨＤＭＩ受信部２０５は、ＨＤＭＩに準拠した通信により、ＨＤＭＩ端子２０１，２０２に接続されている外部機器（ソース機器、またはリピータ機器）から一方向に送信されてくるベースバンドの映像と音声のデータを受信する。このＨＤＭＩ受信部２０５の詳細は後述する。
【００７８】
図５に示すテレビ受信機２００の動作を簡単に説明する。アンテナ端子２１０に入力されるテレビ放送信号はデジタルチューナ２１１に供給される。このデジタルチューナ２１１では、テレビ放送信号が処理されて、ユーザの選択チャネルに対応したトランスポートストリームが得られる。このトランスポートストリームは、デマルチプレクサ２１２に供給される。デマルチプレクサ２１２では、トランスポートストリームから、ユーザの選択チャネルに対応した、パーシャルＴＳ（映像データのＴＳパケット、音声データのＴＳパケット）が抽出される。このパーシャルＴＳは、ＭＰＥＧデコーダ２１３に供給される。
【００７９】
ＭＰＥＧデコーダ２１３では、映像データのＴＳパケットにより構成される映像ＰＥＳパケットに対してデコード処理が行われて映像データが得られる。この映像データは、映像・グラフィック処理回路２１４において、必要に応じて、スケーリング処理、グラフィックスデータの重畳処理等が行われた後に、パネル駆動回路２１５に供給される。そのため、表示パネル２１６には、ユーザの選択チャネルに対応した画像が表示される。
【００８０】
また、ＭＰＥＧデコーダ２１３では、音声データのＴＳパケットにより構成される音声ＰＥＳパケットに対してデコード処理が行われて音声データが得られる。この音声データは、音声処理回路２１７でＤ／Ａ変換等の必要な処理が行われ、さらに、音声増幅回路２１８で増幅された後に、スピーカ２１９に供給される。そのため、スピーカ２１９から、ユーザの選択チャネルに対応した音声が出力される。
【００８１】
また、ＭＰＥＧデコーダ２１３で得られる音声データは、音声処理回路２１７で、例えばＳ／ＰＤＩＦ規格のデジタル光信号に変換されて、光出力端子２０３に出力される。そのため、音声データを、光ケーブルを介して、外部機器に送信できる。図１に示すＡＶシステム１００においては、上述したように、テレビ受信機２００からの音声データが、光ケーブル７０２を介してＡＶアンプ３００に供給される。
【００８２】
そして、ＡＶアンプ３００がシステムオーディオモードＯＮの状態にあるとき、ＡＶアンプ３００に接続されているスピーカ群３５０から、テレビ受信機２００からの音声データによる音声が出力される。なお、この場合、ＣＰＵ２３１により音声増幅回路２１８はミューティング状態とされ、テレビ受信機２００のスピーカ２１９から音声は出力されない。
【００８３】
また、ＨＤＭＩ受信部２０５では、ＨＤＭＩケーブルを介してＨＤＭＩ端子２０１，２０２に入力される映像および音声のデータが得られる。映像データは映像・グラフィック処理回路２１４に供給される。音声データは、音声処理回路２１７に供給される。以降は、上述したテレビ放送信号の受信時と同様の動作となり、表示パネル２１６に画像が表示され、スピーカ２１９から音声が出力される。
【００８４】
図１に示すＡＶシステム１００において、例えば、ＢＤレコーダ４００、ＤＶＤプレーヤ５００またはＤＶＤレコーダ６００からの映像データ、音声データによる画像、音声の視聴を行う場合には、上述したように、ＨＤＭＩ受信部２０５で取得された映像データ、音声データによる画像、音声の視聴状態となる。
【００８５】
なお、この場合にあっても、ＡＶアンプ３００がシステムオーディオモードＯＮの状態にあるとき、ＡＶアンプ３００に接続されているスピーカ群３５０から音声データによる音声が出力され、テレビ受信機２００の音声増幅回路２１８はミューティング状態とされ、スピーカ２１９から音声は出力されない。
【００８６】
図６は、ＢＤレコーダ４００の構成例を示している。このＢＤレコーダ４００は、ＨＤＭＩ端子４０１と、ＨＤＭＩ送信部４０２と、アンテナ端子４１０と、デジタルチューナ４１１と、デマルチプレクサ４１２と、記録部インタフェース４１３と、ＢＤドライブ４１４と、ＭＰＥＧデコーダ４１５と、グラフィック生成回路４１６と、映像出力端子４１７と、音声出力端子４１８と、内部バス４２０と、ＣＰＵ４２１と、フラッシュＲＯＭ４２２と、ＤＲＡＭ４２３とを有している。
【００８７】
ＣＰＵ４２１は、ＢＤレコーダ４００の各部の動作を制御する。フラッシュＲＯＭ４２２は、制御ソフトウェアの格納およびデータの保管を行う。ＤＲＡＭ４２３は、ＣＰＵ４２１のワークエリア等を構成する。ＣＰＵ４２１は、フラッシュＲＯＭ４２２から読み出したソフトウェアやデータをＤＲＡＭ４２３上に展開してソフトウェアを起動し、ＢＤレコーダ４００の各部を制御する。ＣＰＵ４２１、フラッシュＲＯＭ４２２、ＤＲＡＭ４２３、デマルチプレクサ４１２および記録部インタフェース４１３は、内部バス４２０に接続されている。
【００８８】
ＣＰＵ４２１には、ユーザ操作部４２５および表示部４２６が接続されている。これらユーザ操作部４２５および表示部４２６は、ユーザインタフェースを構成している。ユーザ操作部４２５により、ユーザはＢＤレコーダ４００の動作を操作できる。ユーザ操作部４２５は、ＢＤレコーダ４００の図示しない筐体に配置されたキー、釦、ダイアル、リモコン送受信機等で構成される。表示部４２６は、ＢＤレコーダ４００の動作状態、ユーザの操作状態等を表示し、ＬＣＤ(Liquid Crystal Display)等で構成される。
【００８９】
アンテナ端子４１０は、受信アンテナ（図示しない）で受信されたテレビ放送信号を入力する端子である。デジタルチューナ４１１は、アンテナ端子４１０に入力されるテレビ放送信号を処理して、所定のトランスポートストリームを出力する。デマルチプレクサ４１２は、デジタルチューナ４１１で得られたトランスポートストリームから、所定の選択チャネルに対応した、パーシャルＴＳ（Transport Stream）（映像データのＴＳパケット、音声データのＴＳパケット）を抽出する。
【００９０】
また、デマルチプレクサ４１２は、デジタルチューナ４１１で得られたトランスポートストリームから、ＰＳＩ／ＳＩ(Program Specific Information/Service Information)を取り出し、ＣＰＵ４２１に出力する。デジタルチューナ４１１で得られたトランスポートストリームには複数のチャネルが多重化されている。デマルチプレクサ４１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００９１】
ＢＤドライブ４１４は、記録部インタフェース４１３を介して内部バス４２０に接続されている。ＢＤドライブ４１４は、記録時には、デマルチプレクサ４１２で抽出されたパーシャルＴＳをディスクに記録する。また、ＢＤドライブ４１４は、再生時には、ディスクに記録されているパーシャルＴＳを再生する。
【００９２】
ＭＰＥＧデコーダ４１５は、デマルチプレクサ４１２で抽出された、あるいは、ＢＤドライブ４１４で再生されたパーシャルＴＳを構成する映像ＰＥＳパケットに対してデコード処理を行って映像データを得る。また、ＭＰＥＧデコーダ４１５は、当該パーシャルＴＳを構成する音声ＰＥＳパケットに対してデコード処理を行って音声データを得る。
【００９３】
グラフィック生成回路４１６は、ＭＰＥＧデコーダ４１５で得られた映像データに対して、必要に応じてグラフィックスデータの重畳処理等を行う。映像出力端子４１７は、グラフィック生成回路４１６から出力される映像データを出力する。音声出力端子４１８は、ＭＰＥＧデコーダ４１５で得られた音声データを出力する。
【００９４】
ＨＤＭＩ送信部（ＨＤＭＩソース）４０２は、ＨＤＭＩに準拠した通信により、ＭＰＥＧデコーダ４１５で得られたベースバンドの映像と音声のデータを、ＨＤＭＩ端子４０１から送出する。このＨＤＭＩ送信部４０２の詳細は後述する。
【００９５】
図６に示すＢＤレコーダ４００の動作を簡単に説明する。
【００９６】
アンテナ端子４１０に入力されるテレビ放送信号はデジタルチューナ４１１に供給される。このデジタルチューナ４１１では、テレビ放送信号を処理して、所定のトランスポートストリームが取り出され、このトランスポートストリームはデマルチプレクサ４１２に供給される。このデマルチプレクサ４１２では、トランスポートストリームから、所定のチャネルに対応した、パーシャルＴＳ（映像データのＴＳパケット、音声データのＴＳパケット）が抽出される。このパーシャルＴＳは、記録部インタフェース４１３を介してＢＤドライブ４１４に供給され、ＣＰＵ４２１からの記録指示に基づいて記録される。
【００９７】
また、上述したようにデマルチプレクサ４１２で抽出されるパーシャルＴＳ、または、ＢＤドライブ４１４で再生されるパーシャルＴＳは、ＭＰＥＧデコーダ４１５に供給される。このＭＰＥＧデコーダ４１５では、映像データのＴＳパケットにより構成される映像ＰＥＳパケットに対してデコード処理が行われて映像データが得られる。この映像データは、グラフィック生成回路４１６でグラフィックスデータの重畳処理等が行われた後に、映像出力端子４１７に出力される。また、ＭＰＥＧデコーダ４１５では、音声データのＴＳパケットにより構成される音声ＰＥＳパケットに対してデコード処理が行われて音声データが得られる。この音声データは、音声出力端子４１８に出力される。
【００９８】
また、上述したようにＭＰＥＧデコーダ４１５で得られる、ベースバンドの映像および音声のデータは、ＨＤＭＩ送信部４０２に供給され、このＨＤＭＩ端子４０２からＨＤＭＩ端子４０１を通じて外部機器に送出される。
【００９９】
詳細説明は省略するが、ＤＶＤプレーヤ５００の構成は、上述したＢＤレコーダ４００において、ＢＤドライブ４１４がＤＶＤドライブとされ、また、記録系が除かれたものと同様とされている。また、詳細説明は省略するが、ＤＶＤプレーヤ６００の構成は、上述したＢＤレコーダ４００において、ＢＤドライブ４１４がＤＶＤドライブとされたものと同様とされている。
【０１００】
図７は、ＡＶアンプ３００の構成例を示している。ＡＶアンプ３００は、ＨＤＭＩ端子３０１〜３０４と、光入力端子３０５と、ＨＤＭＩスイッチャ３０６と、ＨＤＭＩ受信部３０７と、ＨＤＭＩ送信部３０８と、変換部３１０と、アナログ音声入力端子３１１と、アンテナ端子３１２と、ＦＭチューナ３１３と、セレクタ３１４と、Ａ／Ｄ変換器３１５と、セレクタ３１６と、ＤＳＰ（Digital Signal Processor）３１７と、音声増幅回路３１８と、音声出力端子３１９ａ〜３１９ｆと、内部バス３２０と、ＣＰＵ３２１と、フラッシュＲＯＭ３２２と、ＤＲＡＭ３２３とを有している。
【０１０１】
ここで、ＨＤＭＩスイッチャ３０６、セレクタ３１４，３１６は音声入力選択部を構成し、ＤＳＰ３１７は信号処理部を構成し、音声増幅回路３１８は信号出力部を構成し、ＣＰＵ３２１は音場制御部および出力制御部、並びにジャンル情報要求部を構成している。
【０１０２】
ＣＰＵ３２１は、ＡＶアンプ３００の各部の動作を制御する。フラッシュＲＯＭ３２２は、制御ソフトウェアの格納およびデータの保管を行う。ＤＲＡＭ３２３は、ＣＰＵ３２１のワークエリア等を構成する。ＣＰＵ３２１は、フラッシュＲＯＭ３２２から読み出したソフトウェアやデータをＤＲＡＭ３２３上に展開してソフトウェアを起動し、ＡＶアンプ３００の各部を制御する。ＣＰＵ３２１、フラッシュＲＯＭ３２２およびＤＲＡＭ３２３は、内部バス３２０に接続されている。
【０１０３】
ＣＰＵ３２１には、ユーザ操作部３２４および表示部３２５が接続されている。これらユーザ操作部３２４および表示部３２５は、ユーザインタフェースを構成している。ユーザ操作部３２４により、ユーザがＡＶアンプ３００の出力音声の選択、ＦＭチューナ３１３の選局、動作設定等を行うことができる。ユーザは、このユーザ操作部３２４により、ジャンル連動モードのＯＮ／ＯＦＦ、システムオーディオモードのＯＮ／ＯＦＦ等を設定できる。この意味で、ユーザ操作部３２４はモード設定部を構成している。
【０１０４】
このユーザ操作部３２４は、ＡＶアンプ３００の図示しない筐体に配置されたキー、釦、ダイアル、リモコン送受信機等で構成される。表示部３２５は、ＡＶアンプ３００の動作状態、ユーザの操作状態等を表示し、ＬＣＤ（Liquid Crystal Display）等で構成される。
【０１０５】
光入力端子３０５は、光ケーブルを通じて、例えばＳ／ＰＤＩＦ規格のデジタル光信号を入力する端子である。変換部３１０は、光入力端子３０５に入力されたデジタル光信号から、音声信号のサンプリング周波数と同じ周波数（例えば、４４．１ｋＨｚ）を持つクロックＬＲＣＫ、サンプリング周波数の例えば５１２倍あるいは２５６倍のマスタークロックＭＣＫと、クロックＬＲＣＫの１周期毎に存在するそれぞれ２４ビットの左右の音声データＬＤＡＴＡ，ＲＤＡＴＡと、データの各ビットに同期したビットクロックＢＣＫを生成して、セレクタ３１６に供給する。
【０１０６】
アナログ音声入力端子３１１は、外部機器で得られる左右のアナログ音声信号を入力する端子である。アンテナ端子３１２は、ＦＭ受信アンテナ（図示しない）で受信されたＦＭ放送信号を入力する端子である。ＦＭチューナ３１３は、アンテナ端子３１２に入力されたＦＭ放送信号を処理して、ユーザの選択チャネルに対応した左右のアナログ音声信号を出力する。セレクタ３１４は、アナログ音声入力端子３１１に入力されたアナログ音声信号またはチューナ３１３から出力されたアナログ音声信号を選択的に取り出す。Ａ／Ｄ変換器３１５は、セレクタ３１４で取り出されたアナログ音声信号をデジタルの音声データに変換してセレクタ３１６に供給する。
【０１０７】
ＨＤＭＩスイッチャ３０６は、ＨＤＭＩ端子３０１〜３０３をＨＤＭＩ受信部３０７に選択的に接続する。ＨＤＭＩ受信部３０７は、ＨＤＭＩスイッチャ３０６を介して、ＨＤＭＩ端子３０１〜３０３のいずれかに選択的に接続されている。このＨＤＭＩ受信部３０７は、ＨＤＭＩに準拠した通信により、ＨＤＭＩ端子３０１〜３０３に接続されている外部機器（ソース機器）から一方向に送信されてくるベースバンドの映像と音声のデータを受信する。
【０１０８】
ＨＤＭＩ受信部３０７は、音声データをセレクタ３１６に供給すると共に、映像と音声のデータをＨＤＭＩ送信部３０８に供給する。ＨＤＭＩ送信部３０８は、ＨＤＭＩに準拠した通信により、ＨＤＭＩ受信部３０７から供給されたベースバンドの映像と音声のデータをＨＤＭＩ端子３０４から送出する。これにより、ＡＶアンプ３００はリピータ機能を発揮する。ＨＤＭＩ受信部３０７およびＨＤＭＩ送信部３０８の詳細は後述する。
【０１０９】
セレクタ３１６は、ＨＤＭＩ受信部３０７から供給される音声データ、変換部３１０から供給される音声データまたはＡ／Ｄ変換器３１５から供給される音声データを選択的に取り出し、ＤＳＰ３１７に供給する。
【０１１０】
ＤＳＰ３１７は、セレクタ３１６で得られた音声データを処理して、例えば、５．１chサラウンドを実現するための各チャネルの音声データを生成する処理、所定の音場特性を付与する処理、デジタル信号をアナログ信号に変換する処理等を行う。音声増幅回路３１８は、ＤＳＰ３１７から出力されるフロントレフト音声信号ＳFL、フロントライト音声信号ＳFR、フロントセンタ音声信号ＳFCと、リアレフト音声信号ＳRL、リアライト音声信号ＳRRおよびサブウーファ音声信号Ｓswを増幅して、音声出力端子３１９ａ〜３１９ｆに出力する。
【０１１１】
なお、図示は省略しているが、音声出力端子３１９ａ〜３１９ｆには、スピーカ群３５０を構成するフロントレフトスピーカ、フロントライトスピーカ、フロントセンタースピーカ、リアレフトスピーカ、リアライトスピーカおよびサブウーファスピーカが接続されている。
【０１１２】
図７に示すＡＶアンプ３００の動作を簡単に説明する。ＨＤＭＩ受信部３０７では、ＨＤＭＩケーブルを介してＨＤＭＩ端子３０１〜３０３に入力されるベースバンドの映像および音声のデータが得られる。この映像および音声データは、ＨＤＭＩ送信部３０８に供給され、ＨＤＭＩ端子３０４に接続されたＨＤＭＩケーブルに送出される。
【０１１３】
また、ＨＤＭＩ受信部３０７で得られる音声データは、セレクタ３１６に供給される。セレクタ３１６では、ＨＤＭＩ受信部３０７から供給される音声データ、変換部３１０から供給される音声データまたはＡ／Ｄ変換器３１５から供給される音声データが選択的に取り出され、ＤＳＰ３１７に供給される。
【０１１４】
ＤＳＰ３１７では、音声データに対して、５．１chサラウンドを実現するための各チャネルの音声データを生成する処理、所定の音場特性を付与する処理、デジタル信号をアナログ信号に変換する処理等の必要な処理が施される。ＤＳＰ３１７から出力される各チャネルの音声信号は音声増幅回路３１８を介して音声出力端子３１９ａ〜３１９ｆに出力される。
【０１１５】
例えば、図１に示すＡＶシステム１００において、テレビ受信機２００のデジタルチューナ２１１で選局された番組の視聴を行う場合であって、ＡＶアンプ３００がシステムオーディオモードＯＮの状態にあるときには、以下のような動作となる。すなわち、セレクタ３１６では変換部３１０からの音声データが取り出される。これにより、音声出力端子３１９ａ〜３１９ｆには、テレビ受信機２００のデジタルチューナ２１１で選局された番組の音声データに係る各チャネルの音声信号が出力される。そのため、ＡＶアンプ３００に接続されているスピーカ群３５０からは、テレビ受信機２００のデジタルチューナ２１１で選局された番組の音声が出力される。
【０１１６】
ここで、ＡＶアンプ３００がジャンル連動モードＯＮにあるときには、ＤＳＰ３１７では、セレクタ３１６で取り出された音声データに対して、テレビ受信機２００からＣＥＣラインで供給されるジャンル情報に対応した音場特性が付与される。そのため、ＡＶアンプ３００に接続されているスピーカ群３５０から出力される音声は、テレビ受信機２００のデジタルチューナ２１１で選局された番組のジャンルに対応した音場特性を持つものとなる。
【０１１７】
なお、テレビ受信機２００のデジタルチューナ２１１で選局された番組の視聴を行う場合であって、ＡＶアンプ３００がシステムオーディオモードＯＦＦの状態にあるときには、音声増幅回路３１８がミューティング状態とされ、音声増幅回路３１８から声出力端子３１９ａ〜３１９ｆに音声信号は供給されない。
【０１１８】
また、例えば、図１に示すＡＶシステム１００において、ＢＤレコーダ４００からの映像データ、音声データによる画像、音声の視聴を行う場合であって、ＡＶアンプ３００がシステムオーディオモードＯＮの状態にあるときには、以下のような動作となる。すなわち、ＨＤＭＩスイッチャ３０６によりＨＤＭＩ端子３０１がＨＤＭＩ受信部３０７に接続される。また、セレクタ３１６ではＨＤＭＩ受信部３０７からの音声データが取り出される。これにより、音声出力端子３１９ａ〜３１９ｆには、ＢＤレコーダ４００からの音声データに係る各チャネルの音声信号が出力される。そのため、ＡＶアンプ３００に接続されているスピーカ群３５０からは、ＢＤレコーダ４００からの音声データによる音声が出力される。
【０１１９】
ここで、ＡＶアンプ３００がジャンル連動モードＯＮにあるときには、ＤＳＰ３１７では、セレクタ３１６で取り出された音声データに対して、ＢＤレコーダ４００からＣＥＣラインで供給されるジャンル情報に対応した音場特性が付与される。そのため、ＡＶアンプ３００に接続されているスピーカ群３５０から出力される音声は、ＢＤレコーダ４００のデジタルチューナ２１１で選局された番組のジャンル、またはＢＤレコーダ４００のディスクから再生されるコンテンツの種別に対応した音場特性を持つものとなる。
【０１２０】
なお、ＢＤレコーダ４００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から声出力端子３１９ａ〜３１９ｆに音声信号は供給されない。
【０１２１】
また、例えば、図１に示すＡＶシステム１００において、ＤＶＤプレーヤ５００からの映像データ、音声データによる画像、音声の視聴を行う場合であって、ＡＶアンプ３００がシステムオーディオモードＯＮの状態にあるときには、以下のような動作となる。すなわち、ＨＤＭＩスイッチャ３０６によりＨＤＭＩ端子３０２がＨＤＭＩ受信部３０７に接続される。また、セレクタ３１６ではＨＤＭＩ受信部３０７からの音声データが取り出される。これにより、音声出力端子３１９ａ〜３１９ｆには、ＤＶＤプレーヤ５００からの音声データに係る各チャネルの音声信号が出力される。そのため、ＡＶアンプ３００に接続されているスピーカ群３５０からは、ＤＶＤプレーヤ５００からの音声データによる音声が出力される。
【０１２２】
ここで、ＡＶアンプ３００がジャンル連動モードＯＮにあるときには、ＤＳＰ３１７では、セレクタ３１６で取り出された音声データに対して、ＤＶＤプレーヤ５００からＣＥＣラインで供給されるジャンル情報に対応した音場特性が付与される。そのため、ＡＶアンプ３００に接続されているスピーカ群３５０から出力される音声は、ＤＶＤプレーヤ５００のディスクから再生されるコンテンツの種別に対応した音場特性を持つものとなる。
【０１２３】
なお、ＤＶＤプレーヤ５００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から声出力端子３１９ａ〜３１９ｆに音声信号は供給されない。
【０１２４】
また、例えば、図１に示すＡＶシステム１００において、ＤＶＤレコーダ６００からの映像データ、音声データによる画像、音声の視聴を行う場合であって、ＡＶアンプ３００がシステムオーディオモードＯＮの状態にあるときには、以下のような動作となる。すなわち、ＨＤＭＩスイッチャ３０６によりＨＤＭＩ端子３０３がＨＤＭＩ受信部３０７に接続される。また、セレクタ３１６ではＨＤＭＩ受信部３０７からの音声データが取り出される。これにより、音声出力端子３１９ａ〜３１９ｆには、ＤＶＤレコーダ６００からの音声データに係る各チャネルの音声信号が出力される。そのため、ＡＶアンプ３００に接続されているスピーカ群３５０からは、ＤＶＤレコーダ６００からの音声データによる音声が出力される。
【０１２５】
この場合、ＡＶアンプ３００がジャンル連動モードＯＮにあっても、ＤＶＤレコーダ６００はＣＥＣ非対応機器であるので、このＤＶＤレコーダ６００からＣＥＣラインを介してジャンル情報が供給されることばない。そのため、ＤＳＰ３１７では、セレクタ３１６で取り出された音声データに対して、「STANDARD」の音場特性が付与される、つまり、特に音声加工は施されない。
【０１２６】
また、セレクタ３１６でＡ／Ｄ変換器３１５から供給される音声データが取り出される、アナログ音声入力端子３１１に入力されるアナログ音声信号による音声出力時、またはＦＭチューナ３１３で得られる音声データによる音声出力時には、以下のような動作となる。
【０１２７】
すなわち、セレクタ３１６では、Ａ／Ｄ変換器３１５からの音声データが取り出される。これにより、音声出力端子３１９ａ〜３１９ｆに接続されているスピーカ群３５０からは、アナログ音声信号またはＦＭ音声信号による音声が出力される。なお、この場合、ＤＳＰ３１７では、セレクタ３１６で取り出された音声データに対して、「STANDARD」の音場特性が付与される、つまり、特に音声加工は施されない。
【０１２８】
図８は、ＨＤＭＩ送信部（ＨＤＭＩ送信部３０８、ＨＤＭＩ送信部４０２）と、ＨＤＭＩ受信部（ＨＤＭＩ受信部２０５、ＨＤＭＩ受信部３０７）の構成例を示している。
【０１２９】
ＨＤＭＩ送信部（ＨＤＭＩソース）は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部（ＨＤＭＩシンク）に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部に一方向に送信する。
【０１３０】
すなわち、ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【０１３１】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブルを介して接続されているＨＤＭＩ受信部に、一方向にシリアル伝送する。
【０１３２】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【０１３３】
ＨＤＭＩ受信部は、アクティブビデオ区間において、複数のチャネルで、ＨＤＭＩ送信部から一方向に送信されてくる、画素データに対応する差動信号を受信する。また、ＨＤＭＩ受信部は、水平帰線区間または垂直帰線区間において、複数のチャネルで、ＨＤＭＩ送信部から一方向に送信されてくる、音声データや制御データに対応する差動信号を受信する。
【０１３４】
すなわち、ＨＤＭＩ受信部は、レシーバ８２を有する。レシーバ８２は、ＴＭＤＳチャネル＃０，＃１，＃２で、ＨＤＭＩケーブルを介して接続されているＨＤＭＩ送信部から一方向に送信されてくる、画素データに対応する差動信号と、音声データや制御データに対応する差動信号を、同じくＨＤＭＩ送信部からＴＭＤＳクロックチャネルで送信されてくるピクセルクロックに同期して受信する。
【０１３５】
ＨＤＭＩ送信部とＨＤＭＩ受信部とからなるＨＤＭＩシステムの伝送チャネルには、ＨＤＭＩ送信部からＨＤＭＩ受信部に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【０１３６】
ＤＤＣ８３は、ＨＤＭＩケーブルに含まれる図示せぬ２本の信号線からなり、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。
【０１３７】
すなわち、ＨＤＭＩ受信部は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出し、そのＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【０１３８】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。
【０１３９】
また、ＨＤＭＩケーブルには、ＨＰＤ（Hot Plug Detect）と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【０１４０】
図９は、図８のＨＤＭＩトランスミッタ８１とＨＤＭＩレシーバ８２の構成例を示している。
【０１４１】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。
【０１４２】
ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【０１４３】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【０１４４】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【０１４５】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１４６】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１４７】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１４８】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１４９】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１５０】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１５１】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１５２】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１５３】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１５４】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１５５】
図１０は、ＨＤＭＩの３つのＴＭＤＳチャネル＃０，＃１，＃２で各種の伝送データが伝送される伝送区間（期間）の例を示している。なお、図１０は、ＴＭＤＳチャネル＃０，＃１，＃２において、横×縦が７２０×４８０画素のプログレッシブの画像が伝送される場合の、各種の伝送データの区間を示している。
【０１５６】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【０１５７】
ここで、ビデオフィールド区間は、ある垂直同期信号の立ち上がりエッジ（activeedge）から次の垂直同期信号の立ち上がりエッジまでの区間であり、水平ブランキング期間（horizontalblanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【０１５８】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【０１５９】
データアイランド区間およびコントロール区間は、水平ブランキング期間および垂直ブランキング期間に割り当てられる。このデータアイランド区間およびコントロール区間では、補助データ（Auxiliary data）が伝送される。
【０１６０】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１６１】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１６２】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【０１６３】
図１１は、ＨＤＭＩ端子のピン配列を示している。このピン配列は、タイプＡ（type-A）の例である。
【０１６４】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１６５】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ（Serial Data）信号が伝送されるラインは、ピン番号が１６であるピンに接続され、ＳＤＡ信号の送受信時の同期に用いられるクロック信号であるＳＣＬ（Serial Clock）信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１６６】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【０１６７】
図１２は、ソース機器１０と、リピータ機器２０と、シンク機器３０とがＨＤＭＩケーブルで接続された場合における要部の構成例を示している。
【０１６８】
ＨＤＭＩケーブルは、映像と音声のデータを差動方式で伝送するためのＴＭＤＳラインと、機器間で共通の制御信号（ＣＥＣメッセージ）を伝送する双方向バスであるＣＥＣラインとを含んでいる。
【０１６９】
ソース機器１０は、例えば、図１に示すＡＶシステム１００のＢＤレコーダ４００、ＤＶＤプレーヤ５００等に対応する。ソース機器１０は、制御部１１と、ＨＤＭＩトランスミッタ１２と、ＣＥＣインタフェース１３とを有している。ここで、制御部１１は、例えば、図６に示すＢＤレコーダ４００のＣＰＵ４２１、フラッシュＲＯＭ４２２、ＤＲＡＭ４２３に対応している。また、ＨＤＭＩトランスミッタ１２およびＣＥＣインタフェース１３は、例えば、図６に示すＢＤレコーダ４００のＨＤＭＩ送信部４０２に対応している。
【０１７０】
また、リピータ機器２０は、例えば、図１に示すＡＶシステム１００のＡＶアンプ３００に対応する。リピータ機器２０は、制御部２１と、ＨＤＭＩレシーバ２２と、ＨＤＭＩトランスミッタ２３と、ＣＥＣインタフェース２４とを有している。ここで、制御部２１は、例えば、図７に示すＡＶアンプ３００のＣＰＵ３２１、フラッシュＲＯＭ３２２、ＤＲＡＭ３２３に対応している。また、ＨＤＭＩレシーバ２２、ＨＤＭＩトランスミッタ２３およびＣＥＣインタフェース２４は、例えば、図７に示すＡＶアンプ３００のＨＤＭＩ受信部３０７およびＨＤＭＩ送信部３０８に対応している。
【０１７１】
また、シンク機器３０は、例えば、図１に示すＡＶシステム１００のテレビ受信機２００に対応する。シンク機器３０は、制御部３１と、ＨＤＭＩレシーバ３２と、ＣＥＣインタフェース３３と、リモコン受信部３４と、リモコン送信機３５とを有している。ここで、制御部３１は、例えば、図５に示すテレビ受信機２００のＣＰＵ２３１、フラッシュＲＯＭ２３２、ＤＲＡＭ２３３に対応している。
【０１７２】
また、ＨＤＭＩレシーバ３２およびＣＥＣインタフェース３３は、例えば、図５に示すテレビ受信機２００のＨＤＭＩ受信部２０５に対応している。リモコン受信部３４およびリモコン送信機３５は、図５に示すテレビ受信機２００のリモコン受信機２３４およびリモコン送信機２３５に対応している。
【０１７３】
ソース機器１０のＨＤＭＩトランスミッタ１２とリピータ機器２０のＨＤＭＩレシーバ２２とはＴＭＤＳラインにより接続されている。また、リピータ機器２０のＨＤＭＩトランスミッタ２３とシンク機器３０のＨＤＭＩレシーバ３２とはＴＭＤＳラインにより接続されている。また、ソース機器１０、リピータ機器２０およびシンク機器３０のＣＥＣインタフェース１３，２４，３３は、ＣＥＣラインにより共通に接続されている。このようにソース機器１０、リピータ機器２０およびシンク機器３０はＣＥＣラインで共通に接続されているので、シンク機器３０のリモコン送信機３５により、当該ＣＥＣラインを通じて、リピータ機器２０およびソース機器３０の操作が可能となる。
【０１７４】
図１３は、ＣＥＣライン（ＣＥＣチャネル）で伝送されるデータのブロック構成を示している。ＣＥＣラインでは、１ブロックが４．５ｍ秒で伝送される構成とされている。データ伝送開始時には、スタートビットが配置され、それに続いて、ヘッダブロックが配置され、その後に、実際に伝送したいデータが含まれる任意の個数（ｎ個）のデータブロックが配置される。図１４は、ヘッダブロックのデータ構造例を示している。ヘッダブロックには、送信元の論理アドレス（ソースアドレス）と、送信先の論理アドレス（シンクアドレス）とが配置される。
【０１７５】
次に、ＡＶアンプ３００のＣＰＵ３２１の種々の動作例について説明する。
【０１７６】
図１５のフローチャートは、<Active Source>メッセージを受信した場合の動作例を示している。ＣＰＵ３２１は、ステップＳＴ１において、ＣＥＣラインで<Active Source>メッセージを受信すると、ステップＳＴ２の処理に移る。このステップＳＴ２において、ＣＰＵ３２１は、<Active Source>メッセージの送信元の論理アドレスを、例えばＤＲＡＭ３２３に格納する。
【０１７７】
次に、ＣＰＵ３２１は、ステップＳＴ３において、<Active Source>メッセージの送信元の物理アドレスを、例えばＤＲＡＭ３２３に格納する。そして、ＣＰＵ３２１は、ステップＳＴ４において、<Active Source>メッセージの送信元の論理アドレスの機器に対してジャンル情報を要求する。このジャンル情報の要求には、例えば、ＣＥＣの規格で策定された機器メーカ固有のコードであるVendor Specific Command が使用される。
【０１７８】
ＣＰＵ３２１は、ステップＳＴ４の処理の後、ステップＳＴ５において、処理を終了する。
【０１７９】
図１６のフローチャートは、ジャンル情報を受信した場合の動作例を示している。ＣＰＵ３２１は、ステップＳＴ１１において、ジャンル情報を受信すると、ステップＳＴ１２の処理に移る。このステップＳＴ１２において、ＣＰＵ３２１は、ジャンル情報の送信元の論理アドレスが、ＤＲＡＭ３２３に格納されている、<Active Source>メッセージの送信元の論理アドレスと一致しているか否かを判定する。
【０１８０】
論理アドレスが一致しているとき、ＣＰＵ３２１は、ステップＳＴ１３において、現在の入力、つまりセレクタ３１６等で選択された音声入力が、ＤＲＡＭ３２３に格納されている、<Active Source>メッセージの送信元の物理アドレスに割り当てられている音声入力と一致しているか否かを判定する。なお、ＡＶアンプ３００において、例えば、フラッシュＲＯＭ３２２には、各機器が接続されて図１のＡＶシステム１００が構成される際に、物理アドレスと音声入力との対応関係が格納される。
【０１８１】
音声入力が一致しているとき、ＣＰＵ３２１は、ステップＳＴ１４において、システムオーディオモード（System Audio Mode）がＯＮ状態にあるか否かを判定する。システムオーディオモードがＯＮ状態にあるとき、ＣＰＵ３２１は、ステップＳＴ１５において、受信したジャンル情報に応じた音場を設定する。すなわち、ＣＰＵ３２１は、ＤＳＰ３１７を制御して、セレクタ３１６から出力される音声信号に対して、ジャンル情報に応じた音場特性を付与する。
【０１８２】
ここで、システムオーディオモードのオン（ＯＮ）またはオフ（ＯＦＦ）の設定は、例えば、上述したように、ユーザがユーザ操作部３２４を操作することにより行われる。また、この設定は、例えば、ＨＤＭＩ送信部３０８がテレビ受信機２００からＣＥＣライン介して設定情報を受信するとき、この設定情報に基づいて行われる。この意味で、ＨＤＭＩ送信部３０８は設定情報受信部を構成する。
【０１８３】
ＣＰＵ３２１は、ステップＳＴ１５の処理の後、ステップＳＴ１７において、処理を終了する。
【０１８４】
また、ＣＰＵ３２１は、ステップＳＴ１２で論理アドレスが一致していないとき、ステップＳＴ１３で音声入力が一致していないとき、さらには、ステップＳＴ１４でシステムオーディオモードがＯＮ状態にないとき、ステップＳＴ１６において、何もせずに、ステップＳＴ１７において、処理を終了する。
【０１８５】
なお、システムオーディオモードがＯＦＦ状態にある場合、通常、ＡＶアンプ３００はミューティング状態となる。そのため、ステップＳＴ１４の判定を行わずに、直ちに、受信したジャンル情報を音場設定に反映させても問題はない。しかし、通常音場変化時は、そのモードを表示部３２５に表示することがある。そのため、上述のステップＳＴ１４の判定を行うことで、無駄な表示が行われることを回避できる。
【０１８６】
図１７のフローチャートは、ＤＲＡＭ３２３に格納されている、<ActiveSource>メッセージの送信元の物理アドレスと異なる物理アドレスの通知を受けた場合の動作例を示している。この物理アドレスの通知は、<Routing Change>メッセージ、<Set StreamPath>メッセージ、<Routing Information>メッセージ等により通知される。
【０１８７】
ＣＰＵ３２１は、ステップＳＴ２１において、別の物理アドレスの通知を受けると、ステップＳＴ２２の処理に移る。このステップＳＴ２２において、ＣＰＵ３２１は、ＤＲＡＭ３２３に格納している<Active Source>メッセージの送信元の論理アドレスおよび物理アドレスをクリアし、ステップＳＴ２３において、処理を終了する。
【０１８８】
図１８のフローチャートは、ＣＥＣ連携設定がＯＦＦ状態からＯＮ状態とされた場合の動作例を示している。ここで、ＣＥＣ連携のオン（ＯＮ）またはオフ（ＯＦＦ）の設定は、例えば、ユーザがユーザ操作部３２４を操作することにより行われる。このＣＥＣ連携の設定は、通常、ＨＤＭＩコントロール設定と言われることが多い。
【０１８９】
ＣＰＵ３２１は、ステップＳＴ３１において、ＣＥＣ連携設定がＯＮ状態とされると、ステップＳＴ３２の処理に移る。このステップＳＴ３２において、ＣＰＵ３２１は、音場のジャンル連動設定がＯＮ状態にあるか否かを判定する。
【０１９０】
ここで、音場のジャンル連動のオン（ＯＮ）またはオフ（ＯＦＦ）の設定は、例えば、上述したように、ユーザがユーザ操作部３２４を操作することにより行われる。また、この設定は、例えば、ＨＤＭＩ送信部３０８がテレビ受信機２００からＣＥＣライン介して設定情報を受信するとき、この設定情報に基づいて行われる。この意味で、ＨＤＭＩ送信部３０８は設定情報受信部を構成する。
【０１９１】
音場のジャンル連動設定がオン状態にあるとき、ＣＰＵ３２１は、ステップＳＴ３３において、ＣＥＣラインに、<System Active Source>メッセージを出力する。これは、ＣＥＣ連携設定がＯＮ状態とされたときに、アクティブソース機器から<Active Source>メッセージを受信するためで、この<ActiveSource>メッセージを受信した際には、上述した図１５のフローチャートで示す処理が始まることを期待できる。
【０１９２】
すなわち、ＣＥＣ連携設定をＯＮ状態にしたときに、音場のジャンル連動設定がＯＮ状態であれば、その時点でジャンル情報に応じた音場を設定することになる。上述したように<System Active Source>メッセージを出力して、アクティブソース機器から<Active Source>メッセージを受信する処理は、ＣＥＣ連携設定がＯＦＦ状態の間のアクティブソース機器のジャンル情報変化を考慮しているためである。
【０１９３】
ＣＰＵ３２１は、ステップＳＴ３３の処理の後、ステップＳＴ３５において、処理を終了する。
【０１９４】
また、ＣＰＵ３２１は、ステップＳＴ３２で音場のジャンル連動設定がオフ状態にあるとき、ステップＳＴ３４において、何もせずに、ステップＳＴ３５において、処理を終了する。この場合には、ジャンル情報に応じた音場設定が行われず、ジャンル情報を取得する必要がないからである。
【０１９５】
図１９のフローチャートは、システムオーディオモードがＯＦＦ状態からＯＮ状態とされた場合の動作例を示している。
【０１９６】
ＣＰＵ３２１は、ステップＳＴ４１において、システムオーディオモードがＯＮ状態とされると、ステップＳＴ４２の処理に移る。このステップＳＴ４２において、ＣＰＵ３２１は、ジャンル要求（ジャンル情報の要求）を行う。このジャンル要求は、例えば、上述したようにVendor Specific Command を用いて行う。
【０１９７】
このようにジャンル要求を行うのは、テレビ受信機２００のスピーカで聞く設定からＡＶアンプ３００で聞く設定に切り換えたとき、最新のジャンルに合わせた音場を再現するためである。
【０１９８】
ＣＰＵ３２１は、ステップＳＴ４２の処理の後、ステップＳＴ４３において、処理を終了する。
【０１９９】
図２０のフローチャートは、音場のジャンル連動モードがＯＦＦ状態からＯＮ状態とされた場合の動作例を示している。
【０２００】
ＣＰＵ３２１は、ステップＳＴ５１において、音場のジャンル連動モードがＯＮ状態とされると、ステップＳＴ５２の処理に移る。このステップＳＴ５２において、ＣＰＵ３２１は、ＣＥＣラインに、<System Active Source>メッセージを出力する。これは、音場のジャンル連動モードがＯＮ状態とされたときに、アクティブソース機器から<Active Source>メッセージを受信するためで、この<ActiveSource>メッセージを受信した際には、上述した図１５のフローチャートで示す処理が始まることを期待できる。
【０２０１】
すなわち、音場のジャンル連動モードをＯＮ状態にしたとき、その時点でジャンル情報に応じた音場を設定することになる。上述したように<System Active Source>メッセージを出力して、アクティブソース機器から<Active Source>メッセージを受信する処理は、音場のジャンル連動モードがＯＦＦ状態の間のアクティブソース機器のジャンル情報変化を考慮しているためである。
【０２０２】
ＣＰＵ３２１は、ステップＳＴ５２の処理の後、ステップＳＴ５３において、処理を終了する。
【０２０３】
ところで、上述したように、ＣＰＵ３２１がジャンル情報を要求するとき、ＣＥＣの通信上、この要求が機器に通知されるまでにある程度の時間がかかる。また、要求が通知された機器がジャンル情報を送信するまでに処理上の都合によりある程度の時間がかかる。また、ジャンル情報が通知された後、ＣＰＵ３２１が音場設定を変更するとき、ＤＳＰ３１７に設定データを再設定するため、音切れを発生することがある。
【０２０４】
そのため、ユーザがある操作を行ってから一定時間たった後に音切れが発生することが考えられる。そして、これらの時間が長くなると、ユーザ操作から少し遅れての音途切れとなることがある。そこで、ＣＰＵ３２１は、ジャンル情報を要求した後、図２１のフローチャートに示す処理を行う。
【０２０５】
ＣＰＵ３２１は、ステップＳＴ６１において、ジャンル情報の要求を行うと、ステップＳＴ６２の処理に移る。このステップＳＴ６２において、ＣＰＵ３２１は、ＡＶアンプ３００自身の出音を制御するためのカウンタを設定する。そして、ＣＰＵ３２１は、ステップＳＴ６３において、音声増幅回路３１８を制御して、ミューティングを開始する。
【０２０６】
次に、ＣＰＵ３２１は、ステップＳＴ６４において、セレクタ３１６等で選択されている音声入力に対応したジャンル情報の受信があったか否かを判定する。ジャンル情報の受信がないとき、ＣＰＵ３２１は、ステップＳＴ６５において、一定時間をカウントしたか否かを判定する。一定時間をカウントしていないとき、ＣＰＵ３２１は、ステップＳＴ６４の処理に戻る。
【０２０７】
ステップＳＴ６４でジャンル情報の受信があったとき、あるいはステップＳＴ６５で一定時間をカウントしたとき、ＣＰＵ３２１は、ステップＳＴ６６において、音声増幅回路３１８を制御して、ミューティングを解除し、その後、ステップＳＴ６７において、処理を終了する。
【０２０８】
ＣＰＵ３２１がジャンル情報を要求した後上述した処理を行うことで、ジャンル情報の受信に時間がかかる場合でも、ユーザ操作から音場設定までミューティング状態が続くことになるため、ユーザは、ユーザ設定から一定時間経過後に音の途切れが発生する等の、不自然さを感じることはない。また、選択された音声入力に対応した機器にジャンル情報を出力する機能がない場合や、ジャンル情報が一定時間返答されない場合には、ステップＳＴ６５による処理によりミューティングが解除されるので、ミューティングが継続される心配はない。
【０２０９】
次に、図１に示すＡＶシステム１００における、具体的なシーケンス例を説明する。
【０２１０】
（１）図２２は、テレビ受信機２００をそのスピーカ２１９を用いて視聴中にＡＶアンプ３００に切り換える場合の動作シーケンスを示している。なお、ＡＶアンプ３００において、ジャンル連動モードの設定はＯＮ状態にあるものとする。また、テレビ受信機２００が、アクティブソース機器であるものとする。
【０２１１】
（ａ）ＡＶアンプ３００で任意の音声入力が選択されている状態で、（ｂ）テレビ受信機２００で、スピーカ設定がテレビ（ＴＶ）からＡＶアンプ３００に変更されるとき、（ｃ）テレビ受信機２００からＡＶアンプ３００に、ＣＥＣラインを通じて、<Set System Audio Mode>メッセージが送信される。
【０２１２】
（ｄ）<Set System Audio Mode>メッセージを受信したＡＶアンプ３００では、音声入力がテレビ入力に変更される。この場合、ＡＶアンプ３００のセレクタ３１６からは、テレビ受信機２００から光ケーブル７０２を介して供給される音声信号が取り出される。
【０２１３】
（ｅ）ＡＶアンプ３００は、システムオーディオモードをＯＮ状態に設定したことを、<Set System Audio Mode>(ON)メッセージで、テレビ受信機２００に通知する。（ｆ）<Set System Audio Mode>(ON)メッセージを受信したテレビ受信機２００は、自身のスピーカ２１９から音声を出力しないミューティング状態となる。
【０２１４】
（ｇ）ＡＶアンプ３００は、テレビ受信機２００に<Set SystemAudio Mode>メッセージを送信した後、さらに、Vendor Specific Commandにより、ジャンル情報を要求する。この例では、ＨＤＭＩ接続されている各機器のうち、アクティブソース機器であるテレビ受信機２００に対してのみ、ユニキャストでジャンル情報を要求する。
【０２１５】
（ｈ）テレビ受信機２００は、ＡＶアンプ３００からのジャンル情報の要求に応じて、ジャンル情報をＡＶアンプ３００に送信する。（ｉ）ＡＶアンプ３００は、テレビ受信機２００から取得したジャンル情報に基づいて、音場を設定する。すなわち、ＡＶアンプ３００のＤＳＰ３１７で、セレクタ３１６から出力されるテレビ音声信号に対して、そのジャンルに対応した音場特性が付与される。
【０２１６】
（２）図２３も、テレビ受信機２００をそのスピーカ２１９を用いて視聴中にＡＶアンプ３００に切り換える場合の動作シーケンスを示している。なお、ＡＶアンプ３００において、ジャンル連動モードの設定はＯＮ状態にあるものとする。また、テレビ受信機２００が、アクティブソース機器であるものとする。
【０２１７】
（ａ）〜（ｆ）までの動作は、詳細説明は省略得するが、上述の図２２に示す動作シーケンスと同様である。
【０２１８】
（ｇ）ＡＶアンプ３００は、テレビ受信機２００に<Set SystemAudio Mode>メッセージを送信した後、さらに、Vendor Specific Commandにより、ジャンル情報を要求する。この例では、ＨＤＭＩ接続されている各機器に対して、ブロードキャストでジャンル情報を要求する。
【０２１９】
（ｈ）テレビ受信機２００は、ＡＶアンプ３００からのジャンル情報の要求に応じて、ジャンル情報をＡＶアンプ３００に送信する。（ｉ）ＢＤレコーダ４００は、ＡＶアンプ３００からのジャンル情報の要求に応じて、ジャンル情報をＡＶアンプ３００に送信する。（ｊ）ＤＶＤプレーヤ５００は、ＡＶアンプ３００からのジャンル情報の要求に応じて、ジャンル情報をＡＶアンプ３００に送信する。
【０２２０】
（ｋ）ＡＶアンプ３００は、アクティブソース機器であるテレビ受信機２００から取得したジャンル情報に基づいて、音場を設定する。すなわち、ＡＶアンプ３００のＤＳＰ３１７で、セレクタ３１６から出力されるテレビ音声信号に対して、テレビ受信機２００からのジャンル情報で示されるジャンルに対応した音場特性が付与される。
【０２２１】
（３）図２４は、テレビ受信機２００をＡＶアンプ３００で視聴中に、テレビ（ＴＶ）ジャンルが変わった場合の動作シーケンスを示している。なお、ＡＶアンプ３００において、ジャンル連動モードの設定はＯＮ状態にあるものとする。また、テレビ受信機２００が、アクティブソース機器であるものとする。
【０２２２】
（ａ）ＡＶアンプ３００でテレビ（ＴＶ）入力が選択されている状態で、（ｂ）テレビ受信機２００で、例えば、同一チャネル内での番組の変化、あるいはチャネル切り替えによる番組の変化等によってジャンルが変更される。（ｃ）テレビ受信機２００は、ＣＥＣラインを通じて、ジャンル情報を、ＡＶアンプ３００に送信する。（ｄ）ＡＶアンプ３００は、テレビ受信機２００から取得したジャンル情報に基づいて、音場を設定する。すなわち、ＡＶアンプ３００のＤＳＰ３１７で、セレクタ３１６から出力されるテレビ音声信号に対して、そのジャンルに対応した音場特性が付与される。
【０２２３】
（４）図２５は、ＴＶ（テレビ）をＡＶアンプ３００で視聴中に、ＡＶアンプ３００の入力をテレビ（ＴＶ）からＨＤＭＩ１（ＢＤレコーダ）に切り換えた場合の動作シーケンスを示している。なお、ＡＶアンプ３００において、ジャンル連動モードの設定はＯＮ状態にあるものとする。また、当初のアクティブソース機器は、テレビ受信機２００であるものとする。
【０２２４】
（ａ）ＡＶアンプ３００で、テレビ（ＴＶ）からＨＤＭＩ１（ＢＤレコーダ）に、音声入力の切り換えが行われる。この場合、ＡＶアンプ３００では、ＨＤＭＩスイッチャ３０６により、ＢＤレコーダ４００が接続されているＨＤＭＩ端子３０１が、ＨＤＭＩ受信部３０７に接続される。これにより、ＢＤレコーダ４００からの映像および音声のデータは、ＨＤＭＩ端子３０１から、ＨＤＭＩスイッチャ３０６、ＨＤＭＩ受信部３０７、ＨＤＭＩ送信部３０８およびＨＤＭＩ端子３０４を介して、ＨＤＭＩ端子３０４に接続されているテレビ受信機２００に送信される。また、セレクタ３１６ではＨＤＭＩ受信部３０７で得られるＢＤレコーダ４００から音声のデータが取り出される。
【０２２５】
（ｂ）ＡＶアンプ３００は、上述したようにテレビ（ＴＶ）からＨＤＭＩ１（ＢＤレコーダ）への音声入力の切り換えがあるとき、当該音声入力の切り換えを、<Routing Change>[1000]→[1100]のメッセージをＣＥＣラインに出力して、各機器に通知する。
【０２２６】
（ｃ）<Routing Change>[1000]→[1100]のメッセージを受信したテレビ受信機２００は、入力をテレビ（ＴＶ）からＨＤＭＩに変更する。すなわち、テレビ受信機２００は、表示パネル２１６に、ＨＤＭＩ受信部２０５で受信された映像データによる映像が表示される状態とされる。（ｄ）また、ＡＶアンプ３００は、ＤＲＡＭ３２３に格納されている<Active Source>メッセージの送信元（アクティブソース機器）の論理アドレスおよび物理アドレスをクリアする。
【０２２７】
（ｅ）テレビ受信機２００は、上述したように入力をテレビ（ＴＶ）からＨＤＭＩに変更した後、<Set Stream Path>[1100]のメッセージをＣＥＣラインに出力して、テレビ（ＴＶ）からＢＤレコーダ４００に入力変更を行ったことを、各機器に通知する。（ｆ）<Set Stream Path>[1100]のメッセージを受信したＡＶアンプ３００は、ＤＲＡＭ３２３に格納されている<Active Source>メッセージの送信元（アクティブソース機器）の論理アドレスおよび物理アドレスをクリアする。
【０２２８】
（ｇ）<Set Stream Path>[1100]のメッセージを受信したＢＤレコーダ４００は、アクティブソース機器となる。（ｈ）そして、ＢＤレコーダ４００は、<Active Source>[1100]のメッセージをＣＥＣラインに出力して、自身がアクティブソース機器であることを、各機器に宣言する。（ｉ）ＡＶアンプ３００は、<Active Source>[1100]のメッセージの受信に伴って、その送信元（ＢＤレコーダ４００）の論理アドレスおよび物理アドレスを、ＤＲＡＭ３２３に格納する。
【０２２９】
（ｊ）ＡＶアンプ３００は、送信元（ＢＤレコーダ４００）の論理アドレスおよび物理アドレスをＤＲＡＭ３２３に格納した後、Vendor Specific Commandにより、ジャンル情報を要求する。この例では、ＨＤＭＩ接続されている各機器のうち、アクティブソース機器であるＢＤレコーダ４００に対してのみ、ユニキャストでジャンル情報を要求する。
【０２３０】
（ｋ）ＢＤレコーダ４００は、ＡＶアンプ３００からのジャンル情報の要求に応じて、ジャンル情報をＡＶアンプ３００に送信する。（ｍ）ＡＶアンプ３００は、ＢＤレコーダ４００から取得したジャンル情報に基づいて、音場を設定する。すなわち、ＡＶアンプ３００のＤＳＰ３１７で、セレクタ３１６から出力されるＢＤレコーダ４００からの音声信号に対して、そのジャンルに対応した音場特性が付与される。
【０２３１】
（５）図２６は、テレビ受信機２００をＡＶアンプ３００で視聴中に、ＢＤレコーダ４００の再生を開始した場合の動作シーケンスを示している。なお、ＡＶアンプ３００において、ジャンル連動モードの設定はＯＮ状態にあるものとする。また、当初のアクティブソース機器は、テレビ受信機２００であるものとする。
【０２３２】
（ａ）ユーザによりＢＤレコーダ４００の再生釦が押し下げられるとき、（ｂ）ＢＤレコーダ４００は、画面出力の要求として<Text View On>メッセージを、テレビ受信機２００に送信する。（ｃ）ＢＤレコーダ４００は、アクティブソース機器となり、（ｄ）<Active Source>[1100]のメッセージをＣＥＣラインに出力して、自身がアクティブソース機器であることを、各機器に宣言する。
【０２３３】
（ｅ）<Active Source>[1100]のメッセージを受信したテレビ受信機２００は、入力をテレビ（ＴＶ）からＨＤＭＩに変更する。すなわち、テレビ受信機２００は、表示パネル２１６に、ＨＤＭＩ受信部２０５で受信された映像データによる映像が表示される状態とされる。
【０２３４】
（ｆ）<Active Source>[1100]のメッセージを受信したＡＶアンプ３００は、テレビ（ＴＶ）からＨＤＭＩ１（ＢＤレコーダ）に、音声入力の切り換えを行う。この場合、ＡＶアンプ３００では、ＨＤＭＩスイッチャ３０６により、ＢＤレコーダ４００が接続されているＨＤＭＩ端子３０１が、ＨＤＭＩ受信部３０７に接続される。
【０２３５】
これにより、ＢＤレコーダ４００からの映像および音声のデータは、ＨＤＭＩ端子３０１から、ＨＤＭＩスイッチャ３０６、ＨＤＭＩ受信部３０７、ＨＤＭＩ送信部３０８およびＨＤＭＩ端子３０４を介して、ＨＤＭＩ端子３０４に接続されているテレビ受信機２００に送信される。また、セレクタ３１６ではＨＤＭＩ受信部３０７で得られるＢＤレコーダ４００から音声のデータが取り出される。
【０２３６】
（ｇ）また、ＡＶアンプ３００は、<ActiveSource>[1100]のメッセージの受信に伴って、その送信元（ＢＤレコーダ４００）の論理アドレスおよび物理アドレスを、ＤＲＡＭ３２３に格納する。（ｈ）そして、ＡＶアンプ３００は、Vendor Specific Commandにより、ジャンル情報を要求する。この例では、ＨＤＭＩ接続されている各機器のうち、アクティブソース機器であるＢＤレコーダ４００に対してのみ、ユニキャストでジャンル情報を要求する。
【０２３７】
（ｉ）ＢＤレコーダ４００は、ＡＶアンプ３００からのジャンル情報の要求に応じて、ジャンル情報をＡＶアンプ３００に送信する。（ｊ）ＡＶアンプ３００は、ＢＤレコーダ４００から取得したジャンル情報に基づいて、音場を設定する。すなわち、ＡＶアンプ３００のＤＳＰ３１７で、セレクタ３１６から出力されるＢＤレコーダ４００からの音声信号に対して、そのジャンルに対応した音場特性が付与される。
【０２３８】
（６）図２７は、ＢＤレコーダ４００をＡＶアンプ３００で視聴中に、ＡＶアンプ３００の入力をＨＤＭＩ１（ＢＤレコーダ）からＨＤＭＩ３（ＤＶＤレコーダ）に切り換えた場合の動作シーケンスを示している。なお、ＡＶアンプ３００において、ジャンル連動モードの設定はＯＮ状態にあるものとする。また、当初のアクティブソース機器は、ＢＤレコーダ４００であるものとする。
【０２３９】
（ａ）ＡＶアンプ３００で、ＨＤＭＩ１（ＢＤレコーダ）からＨＤＭＩ３（ＤＶＤレコーダ）に、音声入力の切り換えが行われる。この場合、ＡＶアンプ３００では、ＨＤＭＩスイッチャ３０６により、ＤＶＤレコーダ６００が接続されているＨＤＭＩ端子３０３が、ＨＤＭＩ受信部３０７に接続される。これにより、ＤＶＤレコーダ６００からの映像および音声のデータは、ＨＤＭＩ端子３０３から、ＨＤＭＩスイッチャ３０６、ＨＤＭＩ受信部３０７、ＨＤＭＩ送信部３０８およびＨＤＭＩ端子３０４を介して、ＨＤＭＩ端子３０４に接続されているテレビ受信機２００に送信される。また、セレクタ３１６ではＨＤＭＩ受信部３０７で得られるＤＶＤレコーダ６００から音声のデータが取り出される。
【０２４０】
（ｂ）ＡＶアンプ３００は、上述したようにＨＤＭＩ１（ＢＤレコーダ）からＨＤＭＩ３（ＤＶＤレコーダ）への音声入力の切り換えがあるとき、当該音声入力の切り換えを、<Routing Change>[1100]→[1300]のメッセージをＣＥＣラインに出力して、各機器に通知する。
【０２４１】
（ｃ）また、ＡＶアンプ３００は、ＤＲＡＭ３２３に格納されている<Active Source>メッセージの送信元（アクティブソース機器）の論理アドレスおよび物理アドレスをクリアする。（ｄ）さらに、ＡＶアンプ３００は、<Routing Information>[1300]のメッセージをＣＥＣラインに出力して、各機器に入力の変化を通知する。
【０２４２】
（ｅ）ＡＶアンプ３００は、ＤＲＡＭ３２３に格納されている<ActiveSource>メッセージの送信元（アクティブソース機器）の論理アドレスおよび物理アドレスをクリアする。（ｆ）ＡＶアンプ３００は、ＤＶＤレコーダ６００がＣＥＣ非対応機器であることから、当該ＤＶＤレコーダ６００にジャンル情報を要求しない。
【０２４３】
このようにＡＶアンプ３００で、ＨＤＭＩ１（ＢＤレコーダ）からＨＤＭＩ３（ＤＶＤレコーダ）に音声入力の切り換えが行われる場合、上述したようにセレクタ３１６から出力されるＤＶＤレコーダ６００からの音声信号に対して、ＤＳＰ３１７では、何も加工が施されない。
【０２４４】
（７）図２８は、ＤＶＤレコーダ６００をＡＶアンプ３００で視聴中に、ＡＶアンプ３００の入力をＨＤＭＩ３（ＤＶＤレコーダ）からＨＤＭＩ２（ＤＶＤプレーヤ）に切り換えた場合の動作シーケンスを示している。なお、ＡＶアンプ３００において、ジャンル連動モードの設定はＯＮ状態にあるものとする。また、当初のアクティブソース機器は、ＤＶＤレコーダ６００であるものとする。
【０２４５】
（ａ）ＡＶアンプ３００で、ＨＤＭＩ３（ＤＶＤレコーダ）からＨＤＭＩ２（ＤＶＤプレーヤ）に、音声入力の切り換えが行われる。この場合、ＡＶアンプ３００では、ＨＤＭＩスイッチャ３０６により、ＤＶＤプレーヤ５００が接続されているＨＤＭＩ端子３０２が、ＨＤＭＩ受信部３０７に接続される。これにより、ＤＶＤプレーヤ５００からの映像および音声のデータは、ＨＤＭＩ端子３０２から、ＨＤＭＩスイッチャ３０６、ＨＤＭＩ受信部３０７、ＨＤＭＩ送信部３０８およびＨＤＭＩ端子３０４を介して、ＨＤＭＩ端子３０４に接続されているテレビ受信機２００に送信される。また、セレクタ３１６ではＨＤＭＩ受信部３０７で得られるＤＶＤプレーヤ５００から音声のデータが取り出される。
【０２４６】
（ｂ）ＡＶアンプ３００は、上述したようにＨＤＭＩ３（ＤＶＤレコーダ）からＨＤＭＩ２（ＤＶＤプレーヤ）への音声入力の切り換えがあるとき、当該音声入力の切り換えを、<Routing Change>[1300]→[1200]のメッセージをＣＥＣラインに出力して、各機器に通知する。（ｃ）そして、ＡＶアンプ３００は、ＤＲＡＭ３２３に格納されている<Active Source>メッセージの送信元（アクティブソース機器）の論理アドレスおよび物理アドレスをクリアする。
【０２４７】
（ｄ）テレビ受信機２００は、<Routing Change>[1300]→[1200]のメッセージを受信した後、<Set StreamPath>[1200]のメッセージをＣＥＣラインに出力して、ＤＶＤレコーダ６００からＤＶＤプレーヤ５００に入力変更を行ったことを、各機器に通知する。（ｅ）<Set Stream Path>[1200]のメッセージを受信したＡＶアンプ３００は、ＤＲＡＭ３２３に格納されている<Active Source>メッセージの送信元（アクティブソース機器）の論理アドレスおよび物理アドレスをクリアする。
【０２４８】
（ｆ）<Set Stream Path>[1200]のメッセージを受信したＤＶＤプレーヤ５００は、アクティブソース機器となる。（ｇ）そして、ＤＶＤプレーヤ５００は、<Active Source>[1200]のメッセージをＣＥＣラインに出力して、自身がアクティブソース機器であることを、各機器に宣言する。（ｈ）ＡＶアンプ３００は、<Active Source>[1200]のメッセージの受信に伴って、その送信元（ＤＶＤプレーヤ５００）の論理アドレスおよび物理アドレスを、ＤＲＡＭ３２３に格納する。
【０２４９】
（ｉ）ＡＶアンプ３００は、送信元（ＤＶＤプレーヤ５００）の論理アドレスおよび物理アドレスをＤＲＡＭ３２３に格納した後、Vendor Specific Commandにより、ジャンル情報を要求する。この例では、ＨＤＭＩ接続されている各機器のうち、アクティブソース機器であるＤＶＤプレーヤ５００に対してのみ、ユニキャストでジャンル情報を要求する。
【０２５０】
（ｊ）ＤＶＤプレーヤ５００は、ＡＶアンプ３００からのジャンル情報の要求に応じて、ジャンル情報をＡＶアンプ３００に送信する。（ｋ）ＡＶアンプ３００は、ＤＶＤプレーヤ５００から取得したジャンル情報に基づいて、音場を設定する。すなわち、ＡＶアンプ３００のＤＳＰ３１７で、セレクタ３１６から出力されるＤＶＤプレーヤ５００からの音声信号に対して、そのジャンルに対応した音場特性が付与される。
【０２５１】
（８）図２９は、テレビ（ＡＶ）をＡＶアンプ３００で視聴中に、ＡＶアンプ３００の入力をテレビ（ＴＶ）からＦＭに切り換えた場合の動作シーケンスを示している。なお、ＡＶアンプ３００において、ジャンル連動モードの設定はＯＮ状態にあるものとする。また、アクティブソース機器は、テレビ受信機２００であるものとする。
【０２５２】
（ａ）ＡＶアンプ３００で、テレビ（ＴＶ）からＦＭに、音声入力の切り換えが行われる。この場合、ＡＶアンプ３００は、セレクタ３１４、３１６により、セレクタ３１６からは、ＦＭチューナ３１３からのＦＭ音声信号が取り出される状態となる。（ｂ）ＡＶアンプ３００は、音声入力がＣＥＣ対応機器でないことから、ジャンル情報を要求しない。
【０２５３】
このようにＡＶアンプ３００で、テレビ（ＴＶ）からＦＭに音声入力の切り換えが行われる場合、上述したようにセレクタ３１６から出力されるＦＭ音声信号に対して、ＤＳＰ３１７では、何も加工が施されない。
【０２５４】
（９）図３０は、テレビ（ＡＶ）をＡＶアンプ３００で視聴中に、ＡＶアンプ３００の入力をテレビ（ＴＶ）からＦＭに切り換えた場合の動作シーケンスを示している。この動作シーケンスは、切り換えに伴ってシステムオーディオモードをＯＦＦ状態とする例である。なお、ＡＶアンプ３００において、ジャンル連動モードの設定はＯＮ状態にあるものとする。また、アクティブソース機器は、テレビ受信機２００であるものとする。
【０２５５】
（ａ）ＡＶアンプ３００で、テレビ（ＴＶ）からＦＭに、音声入力の切り換えが行われる。この場合、ＡＶアンプ３００は、セレクタ３１４、３１６により、セレクタ３１６からは、ＦＭチューナ３１３からのＦＭ音声信号が取り出される状態となる。（ｂ）そして、ＡＶアンプ３００は、テレビ受信機２００に、ＣＥＣラインを通じて、<Set System Audio Mode>(OFF)のメッセージを送信し、システムオーディオモードをＯＦＦ状態とすることを通知する。
【０２５６】
（ｃ）<Set System Audio Mode>(OFF)のメッセージを受信したテレビ受信機２００は、スピーカ設定を、ＡＶアンプ３００からテレビ（ＴＶ）に変更する。（ｄ）ＡＶアンプ３００は、<Set System Audio Mode>(OFF)のメッセージを送信した後、システムオーディオモードをＯＦＦ状態とする。
【０２５７】
（１０）図３１は、テレビ（ＡＶ）をＡＶアンプ３００で視聴中に、ジャンル連動モードをＯＦＦ状態からＯＮ状態に変更する場合の動作シーケンスを示している。なお、ＡＶアンプ３００において、当初のジャンル連動モードはＯＦＦ状態にあるものとする。また、アクティブソース機器は、テレビ受信機２００であるものとする。
【０２５８】
（ａ）ＡＶアンプ３００は、ジャンル連動モードがＯＦＦ状態からＯＮ状態に変更されるとき、（ｂ）Vendor Specific Commandにより、ジャンル情報を要求する。この例では、アクティブソース機器であるテレビ受信機２００にのみ、ユニキャストでジャンル情報を要求する。
【０２５９】
（ｃ）テレビ受信機２００は、ＡＶアンプ３００からのジャンル情報の要求に応じて、ジャンル情報をＡＶアンプ３００に送信する。（ｄ）ＡＶアンプ３００は、アクティブソース機器であるテレビ受信機２００から取得したジャンル情報に基づいて、音場を設定する。すなわち、ＡＶアンプ３００のＤＳＰ３１７で、セレクタ３１６から出力されるテレビ音声信号に対して、テレビ受信機２００からのジャンル情報で示されるジャンルに対応した音場特性が付与される。
【０２６０】
（１１）図３２は、テレビ（ＡＶ）をＡＶアンプ３００で視聴中に、ジャンル連動モードをＯＦＦ状態からＯＮ状態に変更する場合の動作シーケンスを示している。この動作シーケンスは、ＡＶアンプ３００がアクティブソース機器を認識していなかった場合の例である。なお、ＡＶアンプ３００において、当初のジャンル連動モードはＯＦＦ状態にあるものとする。また、アクティブソース機器は、テレビ受信機２００であるものとする。
【０２６１】
（ａ）ＡＶアンプ３００で、ジャンル連動モードがＯＦＦ状態からＯＮ状態に変更される。（ｂ）ＡＶアンプ３００は、<Request Active Source>メッセージをＣＥＣラインに出力し、アクティブソース機器からの<Active Source>メッセージの送信を要求する。
【０２６２】
（ｃ）テレビ受信機２００は、アクティブソース機器であることから、<ActiveSource>[0000]のメッセージをＣＥＣラインに出力し、自身がアクティブソース機器であることを、他の機器に通知する。
【０２６３】
（ｄ）<Active Source>[0000]のメッセージを受信したＡＶアンプ３００は、Vendor Specific Commandにより、ジャンル情報を要求する。この例では、アクティブソース機器であるテレビ受信機２００にのみ、ユニキャストでジャンル情報を要求する。
【０２６４】
（ｅ）テレビ受信機２００は、ＡＶアンプ３００からのジャンル情報の要求に応じて、ジャンル情報をＡＶアンプ３００に送信する。（ｆ）ＡＶアンプ３００は、アクティブソース機器であるテレビ受信機２００から取得したジャンル情報に基づいて、音場を設定する。すなわち、ＡＶアンプ３００のＤＳＰ３１７で、セレクタ３１６から出力されるテレビ音声信号に対して、テレビ受信機２００からのジャンル情報で示されるジャンルに対応した音場特性が付与される。
【０２６５】
（１２）図３３は、テレビ（ＴＶ）をＡＶアンプ３００で視聴中に、テレビ（ＴＶ）からＢＤレコーダ４００を選択した場合の動作シーケンスを示している。なお、ＡＶアンプ３００において、ジャンル連動モードの設定はＯＮ状態にあるものとする。また、当初のアクティブソース機器は、テレビ受信機２００であるものとする。
【０２６６】
（ａ）テレビ受信機２００は、メニューからＢＤレコーダ４００が選択されるとき、（ｂ）入力をテレビ（ＴＶ）からＨＤＭＩに変更する。すなわち、テレビ受信機２００は、表示パネル２１６に、ＨＤＭＩ受信部２０５で受信された映像データによる映像が表示される状態とされる。
【０２６７】
（ｃ）そして、テレビ受信機２００は、<Set StreamPath>[1100]のメッセージをＣＥＣラインに出力して、テレビ（ＴＶ）からＢＤレコーダ４００に入力変更を行ったことを、各機器に通知する。（ｄ）<Set Stream Path>[1100]のメッセージを受信したＡＶアンプ３００は、テレビ（ＴＶ）からＨＤＭＩ１（ＢＤレコーダ）に、音声入力の切り換えが行われる。
【０２６８】
この場合、ＡＶアンプ３００では、ＨＤＭＩスイッチャ３０６により、ＢＤレコーダ４００が接続されているＨＤＭＩ端子３０１が、ＨＤＭＩ受信部３０７に接続される。これにより、ＢＤレコーダ４００からの映像および音声のデータは、ＨＤＭＩ端子３０１から、ＨＤＭＩスイッチャ３０６、ＨＤＭＩ受信部３０７、ＨＤＭＩ送信部３０８およびＨＤＭＩ端子３０４を介して、ＨＤＭＩ端子３０４に接続されているテレビ受信機２００に送信される。また、セレクタ３１６ではＨＤＭＩ受信部３０７で得られるＢＤレコーダ４００から音声のデータが取り出される。
【０２６９】
（ｅ）また、<Set Stream Path>[1100]のメッセージを受信したＡＶアンプ３００は、ＤＲＡＭ３２３に格納されている<Active Source>メッセージの送信元（アクティブソース機器）の論理アドレスおよび物理アドレスをクリアする。
【０２７０】
（ｆ）<Set Stream Path>[1100]のメッセージを受信したＢＤレコーダ４００は、アクティブソース機器となる。（ｇ）そして、ＢＤレコーダ４００は、<Active Source>[1200]のメッセージをＣＥＣラインに出力して、自身がアクティブソース機器であることを、各機器に宣言する。
【０２７１】
（ｈ）ＡＶアンプ３００は、<Active Source>[1100]のメッセージの受信に伴って、その送信元（ＢＤレコーダ４００）の論理アドレスおよび物理アドレスを、ＤＲＡＭ３２３に格納する。
【０２７２】
（ｉ）ＡＶアンプ３００は、送信元（ＢＤレコーダ４００）の論理アドレスおよび物理アドレスをＤＲＡＭ３２３に格納した後、Vendor Specific Commandにより、ジャンル情報を要求する。この例では、ＨＤＭＩ接続されている各機器のうち、アクティブソース機器であるＢＤレコーダ４００に対してのみ、ユニキャストでジャンル情報を要求する。
【０２７３】
（ｊ）ＢＤレコーダ４００は、ＡＶアンプ３００からのジャンル情報の要求に応じて、ジャンル情報をＡＶアンプ３００に送信する。（ｋ）ＡＶアンプ３００は、ＢＤレコーダ４００から取得したジャンル情報に基づいて、音場を設定する。すなわち、ＡＶアンプ３００のＤＳＰ３１７で、セレクタ３１６から出力されるＢＤレコーダ４００からの音声信号に対して、そのジャンルに対応した音場特性が付与される。
【０２７４】
以上説明したように、図１に示すＡＶシステム１００のＡＶアンプ３００においては、システムオーディオモードがＯＮ状態にあって、音場のジャンル連動モードがＯＮ状態にあるとき、ＤＳＰ３１７では、基本的に、受信されたジャンル情報に基づいた音場特性が付与される。しかし、この場合、ジャンル情報の送信元論理アドレスが、ＤＲＡＭ３２３に格納されている<Active Source>メッセージの送信元論理アドレスと一致していないときには、当該ジャンル情報に基づいた音場特性の付与を行わない（図１６のステップＳＴ１２参照）。したがって、アクティブソース機器でない機器からのジャンル情報によって、誤った音場が設定されることを回避できる。
【０２７５】
また、図１に示すＡＶシステム１００のＡＶアンプ３００においては、ジャンル情報の送信元論理アドレスがＤＲＡＭ３２３に格納されている<Active Source>メッセージの送信元論理アドレスと一致している場合であっても、現在の音声入力が、<Active Source>メッセージの送信元物理アドレスに割り当てられている音声入力と一致していないときには、当該ジャンル情報に基づいた音場特性の付与を行わない（図１６のステップＳＴ１３参照）。従って、現在の音声入力がＣＥＣ非対応機器（ＤＶＤレコーダ６００）、あるいは内蔵のＦＭチューナ等であって、ジャンル情報の送信がない音声入力が選択されている場合に、その音声入力に対応した音声信号に対して、その音声信号とは関係のないジャンル情報に基づいた誤った音場特性が付与される不具合を回避できる。
【０２７６】
また、図１に示すＡＶシステム１００のＡＶアンプ３００においては、ＣＥＣラインを通じて<ActiveSource>メッセージが送られてくるとき、アクティブソース機器にジャンル情報を要求する（図１５のステップＳＴ４参照）。従って、アクティブソース機器からジャンル情報を速やかに取得でき、音声信号に対してジャンル情報に基づいて音場特性を良好に付与することが可能となる。
【０２７７】
また、図１に示すＡＶシステム１００のＡＶアンプ３００においては、音声入力が変更されるとき、変更後の音声入力に対応した音声信号を出力する機器にジャンル情報を要求する（図２２（ｄ），（ｇ）等参照）。従って、選択された音声入力に対応した音声信号を出力する機器からジャンル情報を速やかに取得でき、当該音声信号に対してジャンル情報に基づいて音場特性を良好に付与することが可能となる。
【０２７８】
また、図１に示すＡＶシステム１００のＡＶアンプ３００においては、ジャンル情報を要求するときミューティングを開始し、音声入力に対応したジャンル情報が受信されるときミューティングが解除される（図２１参照）。従って、ユーザ操作から音場設定までミューティング状態が続くことになるため、ユーザは、ユーザ設定から一定時間経過後に音切れが発生する等の不自然さを感じることがない。
【０２７９】
また、この場合、ジャンル情報が一定時間以内に受信されないとき、ミューティングが解除される。そのため、選択された音声入力に対応した機器がジャンル情報を送信する機能を有していない場合等に、ミューティング状態が継続されることを回避できる。
【０２８０】
なお、上述実施の形態においては、テレビ受信機２００のＨＤＭＩ端子２０２に機器の接続がないものを示したが、図３４に示すように、当該ＨＤＭＩ端子２０２に機器が接続されるＡＶシステム１００Ａも考えられる。
【０２８１】
このＡＶシステム１００Ａでは、テレビ受信機２００のＨＤＭＩ端子２０２に、ＨＤＭＩケーブル７０６を介して、ＣＥＣ対応機器としての、ＤＶＤプレーヤ８００が接続されている。すなわち、ＨＤＭＩケーブル７０６の一端はテレビ受信機２００のＨＤＭＩ端子２０２に接続され、その他端はＤＶＤプレーヤ８００のＨＤＭＩ端子８０１に接続されている。この場合、ＤＶＤプレーヤ８００は、物理アドレスは［１２００］となり、また、「Playback Device」であることから、論理アドレスは｛８｝とされる（図２参照）。
【０２８２】
図３４に示すＡＶシステム１００ＡにおけるＡＶアンプ３００においても、上述したＡＶシステム１００におけるＡＶアンプ３００を適用でき、同様の作用効果を得ることができる。
【産業上の利用可能性】
【０２８３】
この発明は、音声信号対する音場特性の付与処理を良好に行うことができるものであり、テレビ受信機にＡＶアンプを介してＢＤレコーダ、ＤＶＤプレーヤ、ＤＶＤレコーダ等が接続されてなるＡＶシステム等に適用できる。
【図面の簡単な説明】
【０２８４】
【図１】この発明の実施の形態としてのＡＶシステムの構成例を示すブロック図である。
【図２】デバイスとＣＥＣ論理アドレスの対応関係を示すＣＥＣテーブルを示す図である。
【図３】ジャンル情報と音場（SOUND FIELD）の対応関係の一例を示す図である。
【図４】ＡＶアンプで付与される各音場特性の特徴を示す図である。
【図５】ＡＶシステムを構成するテレビ受信機（シンク機器）の構成例を示すブロック図である。
【図６】ＡＶシステムを構成するＢＤレコーダ（ソース機器）の構成例を示すブロック図である。
【図７】ＡＶシステムを構成するＡＶアンプ（リピータ機器）の構成例を示すブロック図である。
【図８】ＨＤＭＩ送信部（ＨＤＭＩソース）とＨＤＭＩ受信部（ＨＤＭＩシンク）の構成例を示すブロック図である。
【図９】ＨＤＭＩトランスミッタとＨＤＭＩレシーバの構成例を示すブロック図である。
【図１０】ＴＭＤＳ伝送データの構造を示す図である。
【図１１】ＨＤＭＩ端子のピン配列（タイプＡ）を示す図である。
【図１２】ソース機器と、リピータ機器と、シンク機器とがＨＤＭＩケーブルで接続された場合における、ＨＤＭＩ接続に係る要部構成例を示す図である。
【図１３】ＣＥＣライン（ＣＥＣチャネル）で伝送されるデータのブロック構成を示す図である。
【図１４】ヘッダブロックのデータ構造例を示す図である。
【図１５】<Active Source>メッセージを受信した場合の動作例を示すフローチャートである。
【図１６】ジャンル情報を受信した場合の動作例を示すフローチャートである。
【図１７】ＤＲＡＭに格納されている、<Active Source>メッセージの送信元の物理アドレスと異なる物理アドレスの通知を受けた場合の動作例を示すフローチャートである。
【図１８】ＣＥＣ連携設定がＯＦＦ状態からＯＮ状態とされた場合の動作例を示すフローチャートである。
【図１９】システムオーディオモードがＯＦＦ状態からＯＮ状態とされた場合の動作例を示すフローチャートである。
【図２０】音場のジャンル連動モードがＯＦＦ状態からＯＮ状態とされた場合の動作例を示すフローチャートである。
【図２１】ジャンル情報を要求した後の動作例を示すフローチャートである。
【図２２】テレビ受信機をそのスピーカを用いて視聴中にＡＶアンプに切り換える場合の動作シーケンスを示す図である。
【図２３】テレビ受信機をそのスピーカを用いて視聴中にＡＶアンプに切り換える場合の動作シーケンスを示す図である。
【図２４】テレビ受信機をＡＶアンプで視聴中に、テレビ（ＴＶ）ジャンルが変わった場合の動作シーケンスを示す図である。
【図２５】ＴＶ（テレビ）をＡＶアンプで視聴中に、ＡＶアンプの入力をテレビ（ＴＶ）からＨＤＭＩ１（ＢＤレコーダ）に切り換えた場合の動作シーケンスを示す図である。
【図２６】テレビ受信機をＡＶアンプで視聴中に、ＢＤレコーダの再生を開始した場合の動作シーケンスを示す図である。
【図２７】ＢＤレコーダをＡＶアンプで視聴中に、ＡＶアンプの入力をＨＤＭＩ１（ＢＤレコーダ）からＨＤＭＩ３（ＤＶＤレコーダ）に切り換えた場合の動作シーケンスを示す図である。
【図２８】ＤＶＤレコーダをＡＶアンプで視聴中に、ＡＶアンプの入力をＨＤＭＩ３（ＤＶＤレコーダ）からＨＤＭＩ２（ＤＶＤプレーヤ）に切り換えた場合の動作シーケンスを示す図である。
【図２９】テレビ（ＡＶ）をＡＶアンプで視聴中に、ＡＶアンプの入力をテレビ（ＴＶ）からＦＭに切り換えた場合の動作シーケンスを示す図である。
【図３０】テレビ（ＡＶ）をＡＶアンプで視聴中に、ＡＶアンプの入力をテレビ（ＴＶ）からＦＭに切り換えた場合の動作シーケンスを示す図である。
【図３１】テレビ（ＡＶ）をＡＶアンプで視聴中に、ジャンル連動モードをＯＦＦ状態からＯＮ状態に変更する場合の動作シーケンスを示す図である。
【図３２】テレビ（ＡＶ）をＡＶアンプで視聴中に、ジャンル連動モードをＯＦＦ状態からＯＮ状態に変更する場合の動作シーケンスを示す図である。
【図３３】テレビ（ＴＶ）をＡＶアンプで視聴中に、テレビ（ＴＶ）からＢＤレコーダを選択した場合の動作シーケンスを示す図である。
【図３４】この発明の他の実施の形態としてのＡＶシステムの構成例を示すブロック図である。
【符号の説明】
【０２８５】
１００，１００Ａ・・・ＡＶシステム、２００・・・テレビ受信機、２０１，２０２・・・ＨＤＭＩ端子、２０３・・・光出力端子、３００・・・ＡＶアンプ、３０１〜３０４・・・ＨＤＭＩ端子、３０５・・・光入力端子、３０６・・・ＨＤＭＩスイッチャ、３０７・・・ＨＤＭＩ受信部、３０８・・・ＨＤＭＩ送信部、３１０・・・変換部、３１１・・・アナログ音声入力端子、３１２・・・アンテナ端子、３１３・・・チューナ、３１４，３１６・・・セレクタ、３１７・・・ＤＳＰ、３１８・・・音声増幅回路、３１９ａ〜３１９ｆ・・・音声出力端子、３２０・・・内部バス、３２１・・・ＣＰＵ、３２２・・・フラッシュＲＯＭ、３２３・・・ＤＲＡＭ、３５０・・・スピーカ群、４００・・・ＢＤレコーダ、４０１・・・ＨＤＭＩ端子、５００・・・ＤＶＤプレーヤ、５０１・・・ＨＤＭＩ端子、６００・・・ＤＶＤレコーダ、６０１・・・ＨＤＭＩ端子、７０１，７０３〜７０６・・・ＨＤＭＩケーブル、７０２・・・光ケーブル、８００・・・ＤＶＤプレーヤ、８０１・・・ＨＤＭＩ端子
【図１】
0004683067.tif 000002
【図２】
0004683067.tif 000003
【図３】
0004683067.tif 000004
【図４】
0004683067.tif 000005
【図５】
0004683067.tif 000006
【図６】
0004683067.tif 000007
【図７】
0004683067.tif 000008
【図８】
0004683067.tif 000009
【図９】
0004683067.tif 000010
【図１０】
0004683067.tif 000011
【図１１】
0004683067.tif 000012
【図１２】
0004683067.tif 000013
【図１３】
0004683067.tif 000014
【図１４】
0004683067.tif 000015
【図１５】
0004683067.tif 000016
【図１６】
0004683067.tif 000017
【図１７】
0004683067.tif 000018
【図１８】
0004683067.tif 000019
【図１９】
0004683067.tif 000020
【図２０】
0004683067.tif 000021
【図２１】
0004683067.tif 000022
【図２２】
0004683067.tif 000023
【図２３】
0004683067.tif 000024
【図２４】
0004683067.tif 000025
【図２５】
0004683067.tif 000026
【図２６】
0004683067.tif 000027
【図２７】
0004683067.tif 000028
【図２８】
0004683067.tif 000029
【図２９】
0004683067.tif 000030
【図３０】
0004683067.tif 000031
【図３１】
0004683067.tif 000032
【図３２】
0004683067.tif 000033
【図３３】
0004683067.tif 000034
【図３４】
0004683067.tif 000035